(57)【特許請求の範囲】
【請求項１】
複数のサービングセルで構成されているユーザ機器（ＵＥ）のためのＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）を送信する方法であって、前記方法は、
第１のセルのサブフレームｎ−４および第２のセルのサブフレームｎ−４のうちの少なくとも１つでデータを受信することであって、ｎは整数である、ことと、
前記第１のセルのサブフレームｎで前記データに対するＡＣＫ／ＮＡＣＫ情報を送信することと
を含み、
前記第１のセルは、ＦＤＤ（Ｆｒｅｑｕｅｎｃｙ  Ｄｉｖｉｓｉｏｎ  Ｄｕｐｌｅｘ）無線フレームを使用し、
前記第２のセルは、ＴＤＤ（Ｔｉｍｅ  Ｄｉｖｉｓｉｏｎ  Ｄｕｐｌｅｘ）無線フレームを使用し、前記ＴＤＤ無線フレームの各サブフレームは、アップリンク−ダウンリンク構成に従って、アップリンクサブフレーム、ダウンリンクサブフレーム、またはスペシャルサブフレームとして構成され、
前記第２のセルのサブフレームｎ−４が、前記データを受信するために使用することができないサブフレームである場合に、前記ＡＣＫ／ＮＡＣＫ情報は、ＰＵＣＣＨ（ｐｈｙｓｉｃａｌ  ｕｐｌｉｎｋ  ｃｏｎｔｒｏｌ  ｃｈａｎｎｅｌ）フォーマット１ａまたは１ｂによって送信され、
前記第２のセルのサブフレームｎ−４が、前記データを受信するために使用することができるサブフレームである場合に、前記ＡＣＫ／ＮＡＣＫ情報は、ＦＤＤ無線フレームを使用するサービングセルにおいて使用されるチャネル選択方式によって送信される、方法。
【請求項２】
前記チャネル選択方式は、ＡＣＫ／ＮＡＣＫ信号が複数のリソースの中の１つの選択されたリソースを使用することによって送信される信号送信方式である、請求項１に記載の方法。
【請求項３】
前記複数のリソースが４つのリソースからなる場合、
第１のリソースおよび第２のリソースは、前記第１のセルで受信されたＰＤＳＣＨ（ｐｈｙｓｉｃａｌ  ｄｏｗｎｌｉｎｋ  ｓｈａｒｅｄ  ｃｈａｎｎｅｌ）、または、前記第１のセルで受信されたＳＰＳ（ｓｅｍｉ−ｐｅｒｓｉｓｔｅｎｔ  ｓｃｈｅｄｕｌｉｎｇ）を解除するためのＳＰＳ解除（ｒｅｌｅａｓｅ）ＰＤＣＣＨ（ｐｈｙｓｉｃａｌ  ｄｏｗｎｌｉｎｋ  ｃｏｎｔｒｏｌ  ｃｈａｎｎｅｌ）と関連付けられ、
第３のリソースおよび第４のリソースは、前記第２のセルで受信されたＰＤＳＣＨと関連付けられる、請求項２に記載の方法。
【請求項４】
前記第１のセルは、前記ＵＥが基地局との最初接続確立過程または接続再確立過程を実行するプライマリセルである、請求項１に記載の方法。
【請求項５】
前記第２のセルは、前記プライマリセルに追加されているセカンダリセルである、請求項４に記載の方法。
【請求項６】
前記データを受信するために使用することができないサブフレームは、アップリンクサブフレームを含む、請求項１に記載の方法。
【請求項７】
前記ＵＥは、前記ＰＵＣＣＨフォーマット１ａによって１ビットのＡＣＫ／ＮＡＣＫ情報を送信する、請求項１に記載の方法。
【請求項８】
前記ＵＥは、前記ＰＵＣＣＨフォーマット１ｂによって２ビットのＡＣＫ／ＮＡＣＫ情報を送信する、請求項１に記載の方法。
【請求項９】
前記ＵＥは、前記チャネル選択方式によって最大４ビットのＡＣＫ／ＮＡＣＫ情報を送信する、請求項８に記載の方法。
【請求項１０】
複数のサービングセルで構成されているユーザ機器（ＵＥ）のためのＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）を送信する装置であって、前記装置は、
無線信号を送信および受信する無線周波数（ＲＦ）部と、
前記ＲＦ部と接続されたプロセッサと
を備え、
前記プロセッサは、
第１のセルのサブフレームｎ−４および第２のセルのサブフレームｎ−４のうちの少なくとも１つでデータを受信することであって、ｎは整数である、ことと、
前記第１のセルのサブフレームｎで前記データに対するＡＣＫ／ＮＡＣＫ情報を送信することと
を実行するように構成され、
前記第１のセルは、ＦＤＤ（Ｆｒｅｑｕｅｎｃｙ  Ｄｉｖｉｓｉｏｎ  Ｄｕｐｌｅｘ）無線フレームを使用し、
前記第２のセルは、ＴＤＤ（Ｔｉｍｅ  Ｄｉｖｉｓｉｏｎ  Ｄｕｐｌｅｘ）無線フレームを使用し、前記ＴＤＤ無線フレームの各サブフレームは、アップリンク−ダウンリンク構成に従って、アップリンクサブフレーム、ダウンリンクサブフレーム、またはスペシャルサブフレームとして構成され、
前記第２のセルのサブフレームｎ−４が、前記データを受信するために使用することができないサブフレームである場合に、前記ＡＣＫ／ＮＡＣＫ情報は、ＰＵＣＣＨ（ｐｈｙｓｉｃａｌ  ｕｐｌｉｎｋ  ｃｏｎｔｒｏｌ  ｃｈａｎｎｅｌ）フォーマット１ａまたは１ｂによって送信され、
前記第２のセルのサブフレームｎ−４が、前記データを受信するために使用することができるサブフレームである場合に、前記ＡＣＫ／ＮＡＣＫ情報は、ＦＤＤ無線フレームを使用するサービングセルにおいて使用されるチャネル選択方式によって送信される、装置。
【発明の詳細な説明】
【技術分野】
【０００１】
本発明は、無線通信に関し、より詳しくは、互いに異なるタイプの無線フレームを使用するサービングセルがアグリゲーションされた無線通信システムにおいて、ＨＡＲＱ（ｈｙｂｒｉｄ  ａｕｔｏｍａｔｉｃ  ｒｅｐｅａｔ  ｒｅｑｕｅｓｔ）のための受信確認（ｒｅｃｅｐｔｉｏｎ  ａｃｋｎｏｗｌｅｄｇｅｍｅｎｔ）を送信する方法及び装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ（Ｔｅｃｈｎｉｃａｌ  Ｓｐｅｃｉｆｉｃａｔｉｏｎ）リリース（Ｒｅｌｅａｓｅ）８に基づくＬＴＥ（ｌｏｎｇ  ｔｅｒｍ  ｅｖｏｌｕｔｉｏｎ）は、有力な次世代移動通信標準である。
【０００３】
３ＧＰＰ  ＴＳ  ３６．２１１  Ｖ８．７．０（２００９−０５）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ８）”に開示されているように、ＬＴＥにおいて、物理チャネルは、ダウンリンクチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＤＣＣＨ（Ｐｈｙｓｉｃａｌ  Ｄｏｗｎｌｉｎｋ  Ｃｏｎｔｒｏｌ  Ｃｈａｎｎｅｌ）、及びアップリンクチャネルであるＰＵＳＣＨ（Ｐｈｙｓｉｃａｌ  Ｕｐｌｉｎｋ  Ｓｈａｒｅｄ  Ｃｈａｎｎｅｌ）とＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【０００４】
ＰＵＣＣＨは、ＨＡＲＱ（ｈｙｂｒｉｄ  ａｕｔｏｍａｔｉｃ  ｒｅｐｅａｔ  ｒｅｑｕｅｓｔ）ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）信号、ＣＱＩ（Ｃｈａｎｎｅｌ  Ｑｕａｌｉｔｙ  Ｉｎｄｉｃａｔｏｒ）、ＳＲ（ｓｃｈｅｄｕｌｉｎｇ  ｒｅｑｕｅｓｔ）のようなアップリンク制御情報の送信に使われるアップリンク制御チャネルである。
【０００５】
一方、３ＧＰＰ  ＬＴＥの進化である３ＧＰＰ  ＬＴＥ−Ａ（ａｄｖａｎｃｅｄ）が進行している。３ＧＰＰ  ＬＴＥ−Ａに導入される技術としてキャリアアグリゲーション（ｃａｒｒｉｅｒ  ａｇｇｒｅｇａｔｉｏｎ）がある。
【０００６】
キャリアアグリゲーションは、複数のコンポーネントキャリア（ｃｏｍｐｏｎｅｎｔ  ｃａｒｒｉｅｒ）を使用する。コンポーネントキャリアは、中心周波数と帯域幅により定義される。一つのダウンリンクコンポーネントキャリア、またはアップリンクコンポーネントキャリアとダウンリンクコンポーネントキャリアの対（ｐａｉｒ）が一つのセルに対応される。複数のダウンリンクコンポーネントキャリアを利用してサービスの提供を受ける端末は、複数のサービングセルからサービスの提供を受けるということができる。
【０００７】
ＴＤＤ（Ｔｉｍｅ  Ｄｉｖｉｓｉｏｎ  Ｄｕｐｌｅｘ）システムは、ダウンリンクとアップリンクが同じ周波数を使用する。したがって、アップリンクサブフレームには一つまたはそれ以上のダウンリンクサブフレームが連結（ａｓｓｏｃｉａｔｅ）されている。‘連結’とは、ダウンリンクサブフレームでの送信／受信がアップリンクサブフレームでの送信／受信と連結されていることを意味する。例えば、複数のダウンリンクサブフレームでトランスポートブロックを受信すると、端末は、前記複数のダウンリンクサブフレームに連結されたアップリンクサブフレームで前記トランスポートブロックのためのＨＡＲＱ  ＡＣＫ／ＮＡＣＫ（以下、ＡＣＫ／ＮＡＣＫ）を送信する。このとき、ＡＣＫ／ＮＡＣＫを送信するためには最小限の時間が必要である。その理由は、トランスポートブロックを処理する時間及びＡＣＫ／ＮＡＣＫの生成に時間が必要なためである。
【０００８】
ＦＤＤ（ｆｒｅｑｕｅｎｃｙ  ｄｉｖｉｓｉｏｎ  ｄｕｐｌｅｘ）システムは、ダウンリンクとアップリンクが互いに異なる周波数を使用する。アップリンクサブフレームとダウンリンクサブフレームは、１：１の関係がある。この場合、ダウンリンクサブフレームで受信したトランスポートブロックに対するＡＣＫ／ＮＡＣＫは、４サブフレーム後のアップリンクサブフレームで送信される。
【０００９】
一方、次世代無線通信システムではＴＤＤを使用するサービングセルとＦＤＤを使用するサービングセルがアグリゲーションされることができる。即ち、端末に互いに異なるタイプの無線フレームを使用する複数のサービングセルが割り当てられることができる。この場合、どのような方式にＡＣＫ／ＮＡＣＫを送信するかが問題になる。
【発明の概要】
【発明が解決しようとする課題】
【００１０】
本発明が解決しようとする技術的課題は、互いに異なるタイプの無線フレームを使用する複数のサービングセルがアグリゲーションされた無線通信システムにおけるＡＣＫ／ＮＡＣＫ送信方法及び装置を提供することである。
【課題を解決するための手段】
【００１１】
一側面において、複数のサービングセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法を提供する。前記方法は、第２のサービングセルのダウンリンクサブフレームでデータを受信し；及び、前記データに対するＡＣＫ／ＮＡＣＫ信号を第１のサービングセルのアップリンクサブフレームで送信し、前記アップリンクサブフレームは、前記第１のサービングセルのＡＣＫ／ＮＡＣＫタイミングに基づいて決定されることを特徴とする。
【００１２】
他の側面で提供される、複数のサービングセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法は、第２のサービングセルのダウンリンクサブフレームでデータを受信し；及び、前記データに対するＡＣＫ／ＮＡＣＫ信号を第１のサービングセルのアップリンクサブフレームで送信し、前記アップリンクサブフレームは、前記第２のサービングセルのＡＣＫ／ＮＡＣＫタイミングに基づいて決定されることを特徴とする。
【００１３】
他の側面で提供される端末は、無線信号を送信及び受信するＲＦ（ｒａｄｉｏ  ｆｒｅｑｕｅｎｃｙ）部；及び、前記ＲＦ部と連結されるプロセッサ；を含み、前記プロセッサは、第２のサービングセルのダウンリンクサブフレームでデータを受信し；及び、前記データに対するＡＣＫ／ＮＡＣＫ信号を第１のサービングセルのアップリンクサブフレームで送信し、前記アップリンクサブフレームは、前記第１のサービングセルのＡＣＫ／ＮＡＣＫタイミングに基づいて決定されることを特徴とする。
本願明細書は、例えば、以下の項目も提供する。
（項目１）
複数のサービングセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法において、
第２のサービングセルのダウンリンクサブフレームでデータを受信し；及び、
前記データに対するＡＣＫ／ＮＡＣＫ信号を第１のサービングセルのアップリンクサブフレームで送信し、
前記アップリンクサブフレームは、前記第１のサービングセルのＡＣＫ／ＮＡＣＫタイミングに基づいて決定されることを特徴とする方法。
（項目２）
前記第１のサービングセルは、前記端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであって、ＦＤＤ（ｆｒｅｑｕｅｎｃｙ  ｄｉｖｉｓｉｏｎ  ｄｕｐｌｅｘ）無線フレームを使用し、前記第２のサービングセルは、前記端末に前記プライマリセル以外に追加に割り当てられるセカンダリセルであって、ＴＤＤ（ｔｉｍｅ  ｄｉｖｉｓｉｏｎ  ｄｕｐｌｅｘ）無線フレームを使用することを特徴とする項目１に記載の方法。
（項目３）
前記第１のサービングセルは、前記端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであって、ＴＤＤ（ｔｉｍｅ  ｄｉｖｉｓｉｏｎ  ｄｕｐｌｅｘ）無線フレームを使用し、前記第２のサービングセルは、前記端末に前記プライマリセル以外に追加に割り当てられるセカンダリセルであって、ＦＤＤ（ｆｒｅｑｕｅｎｃｙ  ｄｉｖｉｓｉｏｎ  ｄｕｐｌｅｘ）無線フレームを使用することを特徴とする項目１に記載の方法。
（項目４）
前記第１のサービングセルのダウンリンクサブフレームでデータを受信し、及び前記第１のサービングセルで受信したデータに対するＡＣＫ／ＮＡＣＫを前記アップリンクサブフレームで送信することをさらに含むことを特徴とする項目１に記載の方法。
（項目５）
前記第１のサービングセルのダウンリンクサブフレーム及び前記第２のサービングセルのダウンリンクサブフレームは、前記アップリンクサブフレームでＡＣＫ／ＮＡＣＫを送信するように連結されるＭ個のサブフレームのうち一部であることを特徴とする項目４に記載の方法。Ｍは、自然数。
（項目６）
前記Ｍが４より大きい場合、前記第１のサービングセルのダウンリンクサブフレーム及び前記第２のサービングセルのダウンリンクサブフレームの総個数が４以下に制限されるようにスケジューリングされることを特徴とする項目５に記載の方法。
（項目７）
前記アップリンクサブフレームでＡＣＫ／ＮＡＣＫを送信するように連結される、前記第１のサービングセルのダウンリンクサブフレームの個数がＭＰ個であり、前記第２のサービングセルのダウンリンクサブフレームの個数がＭＳ個であり、ＭＰよりＭＳが大きい場合、前記第２のサービングセルの前記ＭＳ個のダウンリンクサブフレームのうち、前記ＭＰ個のダウンリンクサブフレームのみがスケジューリングされることを特徴とする項目１に記載の方法。
（項目８）
前記第１のサービングセルの特定アップリンクサブフレームで、前記第１のサービングセルで受信したデータに対するＡＣＫ／ＮＡＣＫのみが送信されるか、または前記第１のサービングセル及び前記第２のサービングセルで受信したデータに対するＡＣＫ／ＮＡＣＫが送信されるかによって、前記特定アップリンクサブフレームに適用されるＡＣＫ／ＮＡＣＫ送信技法が決定されることを特徴とする項目１に記載の方法。
（項目９）
複数のサービングセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法において、
第２のサービングセルのダウンリンクサブフレームでデータを受信し；及び、
前記データに対するＡＣＫ／ＮＡＣＫ信号を第１のサービングセルのアップリンクサブフレームで送信し、
前記アップリンクサブフレームは、前記第２のサービングセルのＡＣＫ／ＮＡＣＫタイミングに基づいて決定されることを特徴とする方法。
（項目１０）
前記第１のサービングセルは、前記端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであって、ＦＤＤ（ｆｒｅｑｕｅｎｃｙ  ｄｉｖｉｓｉｏｎ  ｄｕｐｌｅｘ）無線フレームを使用し、前記第２のサービングセルは、前記端末に前記プライマリセル以外に追加に割り当てられるセカンダリセルであって、ＴＤＤ（ｔｉｍｅ  ｄｉｖｉｓｉｏｎ  ｄｕｐｌｅｘ）無線フレームを使用することを特徴とする項目９に記載の方法。
（項目１１）
前記第１のサービングセルは、前記端末が基地局との最初接続確立過程（ｉｎｉｔｉａｌ  ｃｏｎｎｅｃｔｉｏｎ  ｅｓｔａｂｌｉｓｈｍｅｎｔ  ｐｒｏｃｅｄｕｒｅ）または接続再確立過程を実行するプライマリセルであって、ＴＤＤ（ｔｉｍｅ  ｄｉｖｉｓｉｏｎ  ｄｕｐｌｅｘ）無線フレームを使用し、前記第２のサービングセルは、前記端末に前記プライマリセル以外に追加に割り当てられるセカンダリセルであって、ＦＤＤ（ｆｒｅｑｕｅｎｃｙ  ｄｉｖｉｓｉｏｎ  ｄｕｐｌｅｘ）無線フレームを使用することを特徴とする項目９に記載の方法。
（項目１２）
前記アップリンクサブフレームでＡＣＫ／ＮＡＣＫを送信するように連結される、前記第１のサービングセル及び前記第２のサービングセルのダウンリンクサブフレームの総個数がＭ個であり、前記Ｍが４より大きい場合、前記Ｍ個のダウンリンクサブフレームのうち、４以下のダウンリンクサブフレームのみがスケジューリングされることを特徴とする項目９に記載の方法。
（項目１３）
前記アップリンクサブフレームでＡＣＫ／ＮＡＣＫを送信するように連結される、前記第１のサービングセルのダウンリンクサブフレームの個数がＭＰ個であり、前記第２のサービングセルのダウンリンクサブフレームの個数がＭＳ個であり、ＭＰよりＭＳが大きい場合、前記第２のサービングセルの前記ＭＳ個のダウンリンクサブフレームのうち、前記ＭＰ個のダウンリンクサブフレームのみがスケジューリングされることを特徴とする項目９に記載の方法。
（項目１４）
前記第１のサービングセルの特定アップリンクサブフレームで、前記第１のサービングセルで受信したデータに対するＡＣＫ／ＮＡＣＫのみが送信されるか、または前記第１のサービングセル及び前記第２のサービングセルで受信したデータに対するＡＣＫ／ＮＡＣＫが送信されるかによって、前記特定アップリンクサブフレームに適用されるＡＣＫ／ＮＡＣＫ送信技法が決定されることを特徴とする項目９に記載の方法。
（項目１５）
無線信号を送信及び受信するＲＦ（ｒａｄｉｏ  ｆｒｅｑｕｅｎｃｙ）部；及び、
前記ＲＦ部と連結されるプロセッサ；を含み、
前記プロセッサは、第２のサービングセルのダウンリンクサブフレームでデータを受信し；及び、前記データに対するＡＣＫ／ＮＡＣＫ信号を第１のサービングセルのアップリンクサブフレームで送信し、前記アップリンクサブフレームは、前記第１のサービングセルのＡＣＫ／ＮＡＣＫタイミングに基づいて決定されることを特徴とする端末。
【発明の効果】
【００１４】
互いに異なるタイプの無線フレームを使用する複数のサービングセルがアグリゲーションされた無線通信システムにおいて、端末は、効果的にＡＣＫ／ＮＡＣＫを送信することができる。したがって、システム性能が向上する。
【図面の簡単な説明】
【００１５】
【図１】ＦＤＤ無線フレームの構造を示す。
【図２】ＴＤＤ無線フレームの構造を示す。
【図３】一つのダウンリンクスロットに対するリソースグリッド（ｒｅｓｏｕｒｃｅ  ｇｒｉｄ）の一例を示す。
【図４】ダウンリンクサブフレーム（ＤＬサブフレーム）の構造を示す。
【図５】アップリンクサブフレームの構造を示す。
【図６】ノーマルＣＰでＰＵＣＣＨフォーマット１ｂのチャネル構造を示す。
【図７】ノーマルＣＰでＰＵＣＣＨフォーマット２／２ａ／２ｂのチャネル構造を示す。
【図８】ＰＵＣＣＨフォーマット３のチャネル構造を例示する。
【図９】単一搬送波システムとキャリアアグリゲーションシステムの比較例である。
【図１０】無線通信システムにおいて、複数のサービングセルが互いに異なるタイプの無線フレームを使用する一例を示す。
【図１１】プライマリセルを介して受信したダウンリンクデータに対するＡＣＫ／ＮＡＣＫ送信方法を示す。
【図１２】セカンダリセルを介して受信したダウンリンクデータに対するＡＣＫ／ＮＡＣＫ送信方法を示す。
【図１３】プライマリセルがＦＤＤセルであり、セカンダリセルがＴＤＤセルである場合、ＡＣＫ／ＮＡＣＫ送信タイミングを示す一例である。
【図１４】方法１によるＡＣＫ／ＮＡＣＫ送信方法を示す。
【図１５】プライマリセルがＦＤＤセルであり、セカンダリセルがＴＤＤセルである場合、ＡＣＫ／ＮＡＣＫ送信タイミングを示す他の例である。
【図１６】方法２によるＡＣＫ／ＮＡＣＫ送信方法を示す。
【図１７】本発明の一実施例に係るＡＣＫ／ＮＡＣＫ送信方法を示す。
【図１８】本発明の実施例が具現される無線機器を示すブロック図である。
【発明を実施するための形態】
【００１６】
端末（Ｕｓｅｒ  Ｅｑｕｉｐｍｅｎｔ、ＵＥ）は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。
【００１７】
基地局は、一般的に端末と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００１８】
基地局から端末への通信をダウンリンク（ｄｏｗｎｌｉｎｋ：ＤＬ）といい、端末から基地局への通信をアップリンク（ｕｐｌｉｎｋ：ＵＬ）という。基地局及び端末を含む無線通信システムは、ＴＤＤ（ｔｉｍｅ  ｄｉｖｉｓｉｏｎ  ｄｕｐｌｅｘ）システムまたはＦＤＤ（ｆｒｅｑｕｅｎｃｙ  ｄｉｖｉｓｉｏｎ  ｄｕｐｌｅｘ）システムである。ＴＤＤシステムは、同じ周波数帯域で互いに異なる時間を使用してアップリンク及びダウンリンク送受信を実行する無線通信システムである。ＦＤＤシステムは、互いに異なる周波数帯域を使用し、同時にアップリンク及びダウンリンク送受信が可能な無線通信システムである。無線通信システムは、無線フレームを使用して通信を実行することができる。
【００１９】
図１は、ＦＤＤ無線フレームの構造を示す。
【００２０】
ＦＤＤ無線フレーム（ｒａｄｉｏ  ｆｒａｍｅ）は、１０個のサブフレーム（ｓｕｂｆｒａｍｅ）を含み、一つのサブフレームは、２個の連続的なスロット（ｓｌｏｔ）を含む。無線フレーム内に含まれるスロットは、０〜１９のインデックスが付けられる。一つのサブフレームの送信にかかる時間をＴＴＩ（ｔｒａｎｓｍｉｓｓｉｏｎ  ｔｉｍｅ  ｉｎｔｅｒｖａｌ）といい、ＴＴＩは、最小スケジューリング単位（ｍｉｎｉｍｕｍ  ｓｃｈｅｄｕｌｉｎｇ  ｕｎｉｔ）である。例えば、一つのサブフレームの長さは１ｍｓであり、一つのスロットの長さは０．５ｍｓである。以下、ＦＤＤ無線フレームをＦＤＤフレームと略称する。
【００２１】
図２は、ＴＤＤ無線フレームの構造を示す。
【００２２】
図２を参照すると、ＴＤＤで使用するＴＤＤ無線フレームにはＤＬ（ｄｏｗｎｌｉｎｋ）サブフレームとＵＬ（Ｕｐｌｉｎｋ）サブフレームが共存する。表１は、無線フレームのＵＬ−ＤＬ設定（ＵＬ−ＤＬ  ｃｏｎｆｉｇｕｒａｔｉｏｎ）の一例を示す。
【００２３】
【表１】
0006029769.tif 000002
【００２４】
表１において、‘Ｄ’はＤＬサブフレームを示し、‘Ｕ’はＵＬサブフレームを示し、‘Ｓ’はスペシャルサブフレーム（ｓｐｅｃｉａｌ  ｓｕｂｆｒａｍｅ）を示す。基地局からＵＬ−ＤＬ設定を受信すると、端末は、無線フレームで各サブフレームがＤＬサブフレームであるか、またはＵＬサブフレームであるかを知ることができる。以下、ＵＬ−ＤＬ設定Ｎ（Ｎは、０〜６のうちいずれか一つ）は、前記表１を参照することができる。
【００２５】
ＴＤＤフレームで、インデックス＃１とインデックス＃６を有するサブフレームは、スペシャルサブフレームであり、スペシャルサブフレームは、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）及びＵｐＰＴＳ（Ｕｐｌｉｎｋ  Ｐｉｌｏｔ  Ｔｉｍｅ  Ｓｌｏｔ）を含む。ＤｗＰＴＳは、端末での初期セル探索、同期化またはチャネル推定に使われる。ＵｐＰＴＳは、基地局でのチャネル推定と端末のアップリンク送信同期を合わせるのに使われる。ＧＰは、アップリンクとダウンリンクとの間にダウンリンク信号の多重経路遅延によりアップリンクで発生する干渉を除去するための区間である。以下、ＴＤＤ無線フレームをＴＤＤフレームと略称する。
【００２６】
図３は、一つのダウンリンクスロットに対するリソースグリッド（ｒｅｓｏｕｒｃｅ  ｇｒｉｄ）の一例を示す。
【００２７】
図３を参照すると、ダウンリンクスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域でＮＲＢ個のリソースブロック（ＲＢ；Ｒｅｓｏｕｒｃｅ  Ｂｌｏｃｋ）を含むことができる。リソースブロックは、リソース割当単位であり、時間領域で一つのスロットを含み、周波数領域で複数の連続する副搬送波（ｓｕｂｃａｒｒｉｅｒ）を含む。ダウンリンクスロットに含まれるリソースブロックの数ＮＲＢは、セルで設定されるダウンリンク送信帯域幅（ｂａｎｄｗｉｄｔｈ）ＮＤＬに従属する。例えば、ＬＴＥシステムにおいて、ＮＲＢは、６〜１１０のうちいずれか一つである。アップリンクスロットの構造も前記ダウンリンクスロットの構造と同じである。
【００２８】
リソースグリッド上の各要素（ｅｌｅｍｅｎｔ）をリソース要素（ｒｅｓｏｕｒｃｅ  ｅｌｅｍｅｎｔ、ＲＥ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００２９】
図３において、一つのリソースブロックは、時間領域で７ＯＦＤＭシンボルと、周波数領域で１２副搬送波とで構成されることで、７×１２リソース要素を含むと例示的に記述するが、リソースブロック内のＯＦＤＭシンボルの数と副搬送波の数は、これに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。一つのＯＦＤＭシンボルで、副搬送波の数は、１２８、２５６、５１２、１０２４、１５３６及び２０４８のうち一つを選定して使用することができる。
【００３０】
図４は、ダウンリンクサブフレーム（ＤＬサブフレーム）の構造を示す。
【００３１】
図４を参照すると、ＤＬサブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個（場合によって、最大４個）のＯＦＤＭシンボルを含むが、制御領域に含まれるＯＦＤＭシンボルの個数は変わることができる。制御領域には、ＰＤＣＣＨ（ｐｈｙｓｉｃａｌ  ｄｏｗｎｌｉｎｋ  ｃｏｎｔｒｏｌ  ｃｈａｎｎｅｌ）及び他の制御チャネルが割り当てられ、データ領域には、ＰＤＳＣＨ（ｐｈｙｓｉｃａｌ  ｄｏｗｎｌｉｎｋ  ｓｈａｒｅｄ  ｃｈａｎｎｅｌ）が割り当てられる。
【００３２】
３ＧＰＰ  ＴＳ  ３６．２１１  Ｖ８．７．０に開示されているように、３ＧＰＰ  ＬＴＥにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００３３】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。端末は、まず、ＰＣＦＩＣＨ上にＣＦＩを受信した後、ＰＤＣＣＨをモニタリングする。ＰＤＣＣＨと違って、ＰＣＦＩＣＨは、ブラインドデコーディング（ｂｌｉｎｄ  ｄｅｃｏｄｉｎｇ）を使用せずに、サブフレームの固定されたＰＣＦＩＣＨリソースを介して送信される。
【００３４】
ＰＨＩＣＨは、アップリンクＨＡＲＱ（ｈｙｂｒｉｄ  ａｕｔｏｍａｔｉｃ  ｒｅｐｅａｔ  ｒｅｑｕｅｓｔ）のためのＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号を伝送する。即ち、端末により送信されるＰＵＳＣＨ上のＵＬ（ｕｐｌｉｎｋ）データに対するＡＣＫ／ＮＡＣＫ信号は、ＰＨＩＣＨ上に基地局により送信される。
【００３５】
ＰＢＣＨ（Ｐｈｙｓｉｃａｌ  Ｂｒｏａｄｃａｓｔ  Ｃｈａｎｎｅｌ）は、無線フレームの１番目のサブフレームの第２のスロットの前方部の４個のＯＦＤＭシンボルで送信される。ＰＢＣＨは、端末が基地局と通信するときに必須なシステム情報を伝送し、ＰＢＣＨを介して送信されるシステム情報をＭＩＢ（ｍａｓｔｅｒ  ｉｎｆｏｒｍａｔｉｏｎ  ｂｌｏｃｋ）という。これと比較して、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００３６】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信パワー制御命令の集合及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。
【００３７】
図５は、アップリンクサブフレームの構造を示す。
【００３８】
図５を参照すると、アップリンクサブフレームは、周波数領域で、アップリンク制御情報を伝送するＰＵＣＣＨ（Ｐｈｙｓｉｃａｌ  Ｕｐｌｉｎｋ  Ｃｏｎｔｒｏｌ  Ｃｈａｎｎｅｌ）が割り当てられる制御領域（ｃｏｎｔｒｏｌ  ｒｅｇｉｏｎ）と、ユーザデータを伝送するＰＵＳＣＨ（Ｐｈｙｓｉｃａｌ  Ｕｐｌｉｎｋ  Ｓｈａｒｅｄ  Ｃｈａｎｎｅｌ）が割り当てられるデータ領域（ｄａｔａ  ｒｅｇｉｏｎ）と、に分けられる。
【００３９】
ＰＵＣＣＨは、サブフレームでＲＢ対（ｐａｉｒ）で割り当てられる。ＲＢ対に属するＲＢは、第１のスロットと第２のスロットの各々で互いに異なる副搬送波を占める。ＲＢ対は、同じリソースブロックインデックスｍを有する。
【００４０】
３ＧＰＰ  ＴＳ  ３６．２１１  Ｖ８．７．０によると、ＰＵＣＣＨは、多重フォーマットをサポートする。ＰＵＣＣＨフォーマットに従属した変調方式（ｍｏｄｕｌａｔｉｏｎ  ｓｃｈｅｍｅ）によってサブフレーム当たり送信されるビットの数は変わることができる。
【００４１】
以下の表２は、ＰＵＣＣＨフォーマットによる変調方式（Ｍｏｄｕｌａｔｉｏｎ  Ｓｃｈｅｍｅ）及びサブフレーム当たりビット数の例を示す。
【００４２】
【表２】
0006029769.tif 000003
【００４３】
ＰＵＣＣＨフォーマット１はＳＲ（Ｓｃｈｅｄｕｌｉｎｇ  Ｒｅｑｕｅｓｔ）の送信に使われ、ＰＵＣＣＨフォーマット１ａ／１ｂはＨＡＲＱのためのＡＣＫ／ＮＡＣＫ信号の送信に使われ、ＰＵＣＣＨフォーマット２はＣＱＩの送信に使われ、ＰＵＣＣＨフォーマット２ａ／２ｂはＣＱＩ及びＡＣＫ／ＮＡＣＫ信号の同時（ｓｉｍｕｌｔａｎｅｏｕｓ）送信に使われる。サブフレームで、ＡＣＫ／ＮＡＣＫ信号のみを送信する時、ＰＵＣＣＨフォーマット１ａ／１ｂが使われ、ＳＲが単独に送信される時、ＰＵＣＣＨフォーマット１が使われる。ＳＲとＡＣＫ／ＮＡＣＫを同時に送信する時は、ＰＵＣＣＨフォーマット１が使われ、ＳＲに割り当てられたリソースにＡＣＫ／ＮＡＣＫ信号を変調して送信する。
【００４４】
全てのＰＵＣＣＨフォーマットは、各ＯＦＤＭシンボルでシーケンスの循環シフト（ｃｙｃｌｉｃ  ｓｈｉｆｔ、ＣＳ）を使用する。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）ほど循環シフトさせて生成される。特定ＣＳ量は、循環シフトインデックス（ＣＳ  ｉｎｄｅｘ）により指示される。
【００４５】
基本シーケンスｒｕ（ｎ）を定義した一例は、以下の数式の通りである。
【００４６】
【数１】
0006029769.tif 000004
【００４７】
ここで、ｕはルートインデックス（ｒｏｏｔ  ｉｎｄｅｘ）であり、ｎは要素インデックスであり、０≦ｎ≦Ｎ−１、Ｎは基本シーケンスの長さである。ｂ（ｎ）は、３ＧＰＰ  ＴＳ  ３６．２１１  Ｖ８．７．０の５．５節で定義されている。
【００４８】
シーケンスの長さは、シーケンスに含まれる要素（ｅｌｅｍｅｎｔ）の数と同じである。ｕは、セルＩＤ（ｉｄｅｎｔｉｆｉｅｒ）、無線フレーム内のスロット番号などにより決められる。
【００４９】
基本シーケンスが周波数領域で一つのリソースブロックにマッピング（ｍａｐｐｉｎｇ）されるとする時、一つのリソースブロックが１２副搬送波を含むため、基本シーケンスの長さＮは１２になる。異なるルートインデックスによって異なる基本シーケンスが定義される。
【００５０】
基本シーケンスｒ（ｎ）を以下の数式２のように循環シフトさせ、循環シフトされたシーケンスｒ（ｎ，Ｉｃｓ）を生成することができる。
【００５１】
【数２】
0006029769.tif 000005
【００５２】
ここで、Ｉｃｓは、ＣＳ量を示す循環シフトインデックスである（０≦Ｉｃｓ≦Ｎ−１）。
【００５３】
基本シーケンスの可用（ａｖａｉｌａｂｌｅ）循環シフトインデックスは、ＣＳ間隔（ＣＳ  ｉｎｔｅｒｖａｌ）によって基本シーケンスから得る（ｄｅｒｉｖｅ）ことができる循環シフトインデックスを意味する。例えば、基本シーケンスの長さが１２であり、ＣＳ間隔が１の場合、基本シーケンスの可用循環シフトインデックスの総個数は１２になる。または、基本シーケンスの長さが１２であり、ＣＳ間隔が２の場合、基本シーケンスの可用循環シフトインデックスの総数は６になる。
【００５４】
図６は、ノーマルＣＰでＰＵＣＣＨフォーマット１ｂのチャネル構造を示す。
【００５５】
一つのスロットは７個のＯＦＤＭシンボルを含み、３個のＯＦＤＭシンボルは基準信号のためのＲＳ（Ｒｅｆｅｒｅｎｃｅ  Ｓｉｇｎａｌ）ＯＦＤＭシンボルになり、４個のＯＦＤＭシンボルはＡＣＫ／ＮＡＣＫ信号のためのデータＯＦＤＭシンボルになる。
【００５６】
ＰＵＣＣＨフォーマット１ｂでは、エンコーディングされた２ビットＡＣＫ／ＮＡＣＫ信号をＱＰＳＫ（Ｑｕａｄｒａｔｕｒｅ  Ｐｈａｓｅ  Ｓｈｉｆｔ  Ｋｅｙｉｎｇ）変調して変調シンボルｄ（０）が生成される。
【００５７】
循環シフトインデックスＩｃｓは、無線フレーム内のスロット番号（ｎｓ）及び／またはスロット内のシンボルインデックス（ｌ）によって変わることができる。
【００５８】
ノーマルＣＰで、一つのスロットにＡＣＫ／ＮＡＣＫ信号の送信のために４個のデータＯＦＤＭシンボルがあるため、各データＯＦＤＭシンボルで対応する循環シフトインデックスをＩｃｓ０、Ｉｃｓ１、Ｉｃｓ２、Ｉｃｓ３と仮定する。
【００５９】
変調シンボルｄ（０）は、循環シフトされたシーケンスｒ（ｎ，Ｉｃｓ）に拡散される。スロットで（ｉ＋１）番目のＯＦＤＭシンボルに対応する１次元拡散されたシーケンスをｍ（ｉ）とする時、
【００６０】
｛ｍ（０），ｍ（１），ｍ（２），ｍ（３）｝＝｛ｄ（０）ｒ（ｎ，Ｉｃｓ０），ｄ（０）ｒ（ｎ，Ｉｃｓ１），ｄ（０）ｒ（ｎ，Ｉｃｓ２），ｄ（０）ｒ（ｎ，Ｉｃｓ３）｝で表すことができる。
【００６１】
端末容量を増加させるために、１次元拡散されたシーケンスは、直交シーケンスを利用して拡散されることができる。拡散係数（ｓｐｒｅａｄｉｎｇ  ｆａｃｔｏｒ）Ｋ＝４である直交シーケンスｗｉ（ｋ）（ｉは、シーケンスインデックス、０≦ｋ≦Ｋ−１）として、下記のようなシーケンスを使用する。
【００６２】
【表３】
0006029769.tif 000006
【００６３】
拡散係数Ｋ＝３である直交シーケンスｗｉ（ｋ）（ｉは、シーケンスインデックス、０≦ｋ≦Ｋ−１）として、下記のようなシーケンスを使用する。
【００６４】
【表４】
0006029769.tif 000007
【００６５】
スロット毎に異なる拡散係数を使用することができる。
【００６６】
したがって、任意の直交シーケンスインデックスｉが与えられる時、２次元拡散されたシーケンス｛ｓ（０），ｓ（１），ｓ（２），ｓ（３）｝は、下記のように示すことができる。
【００６７】
｛ｓ（０），ｓ（１），ｓ（２），ｓ（３）｝＝｛ｗｉ（０）ｍ（０），ｗｉ（１）ｍ（１），ｗｉ（２）ｍ（２），ｗｉ（３）ｍ（３）｝
【００６８】
２次元拡散されたシーケンス｛ｓ（０），ｓ（１），ｓ（２），ｓ（３）｝は、ＩＦＦＴ（ｉｎｖｅｒｓｅ  ｆａｓｔ  Ｆｏｕｒｉｅｒ  ｔｒａｎｓｆｏｒｍ）が実行された後、対応するＯＦＤＭシンボルで送信される。それによって、ＡＣＫ／ＮＡＣＫ信号がＰＵＣＣＨ上に送信される。
【００６９】
ＰＵＣＣＨフォーマット１ｂの基準信号も基本シーケンスｒ（ｎ）を循環シフトさせた後、直交シーケンスに拡散させて送信される。３個のＲＳ  ＯＦＤＭシンボルに対応する循環シフトインデックスをＩｃｓ４、Ｉｃｓ５、Ｉｃｓ６とする時、３個の循環シフトされたシーケンスｒ（ｎ，Ｉｃｓ４）、ｒ（ｎ，Ｉｃｓ５）、ｒ（ｎ，Ｉｃｓ６）を得ることができる。この３個の循環シフトされたシーケンスは、Ｋ＝３である直交シーケンスｗＲＳｉ（ｋ）に拡散される。
【００７０】
直交シーケンスインデックスｉ、循環シフトインデックスＩｃｓ及びリソースブロックインデックスｍは、ＰＵＣＣＨを構成するために必要なパラメータであり、ＰＵＣＣＨ（または、端末）を区分するときに使われるリソースである。可用循環シフトの個数が１２であり、可用な直交シーケンスインデックスの個数が３の場合、総３６個の端末に対するＰＵＣＣＨが一つのリソースブロックに多重化されることができる。
【００７１】
３ＧＰＰ  ＬＴＥでは、端末がＰＵＣＣＨを構成するための前記３個のパラメータを取得するために、リソースインデックスｎ（１）ＰＵＣＣＨが定義される。リソースインデックスｎ（１）ＰＵＣＣＨ＝ｎＣＣＥ＋Ｎ（１）ＰＵＣＣＨに定義され、ｎＣＣＥは、対応するＰＤＣＣＨ（即ち、ＡＣＫ／ＮＡＣＫ信号に対応するダウンリンクデータをスケジューリングするダウンリンクリソース割当（ＤＣＩ）を含むＰＤＣＣＨ）の送信に使われる１番目のＣＣＥの番号であり、Ｎ（１）ＰＵＣＣＨは、基地局が端末に上位階層メッセージを介して知らせるパラメータである。
【００７２】
ＡＣＫ／ＮＡＣＫ信号の送信に使われる時間、周波数、コードリソースをＡＣＫ／ＮＡＣＫリソースまたはＰＵＣＣＨリソースという。前述したように、ＡＣＫ／ＮＡＣＫ信号をＰＵＣＣＨ上に送信するために必要なＡＣＫ／ＮＡＣＫリソースのインデックス（ＡＣＫ／ＮＡＣＫリソースインデックスまたはＰＵＣＣＨインデックスという）は、直交シーケンスインデックスｉ、循環シフトインデックスＩｃｓ、リソースブロックインデックスｍ及び前記３個のインデックスを求めるためのインデックスのうち少なくともいずれか一つで表現されることができる。ＡＣＫ／ＮＡＣＫリソースは、直交シーケンス、循環シフト、リソースブロック及びこれらの組合せのうち少なくともいずれか一つを含むことができる。
【００７３】
図７は、ノーマルＣＰでＰＵＣＣＨフォーマット２／２ａ／２ｂのチャネル構造を示す。
【００７４】
図７を参照すると、ノーマルＣＰで、ＯＦＤＭシンボル１及び５（即ち、２番目及び６番目のＯＦＤＭシンボル）は参照信号（ＲＳ）のために使われ、残りのＯＦＤＭシンボルはＣＱＩ送信のために使われる。拡張ＣＰでは、ＯＦＤＭシンボル３（４番目のシンボル）がＲＳのために使われる。
【００７５】
１０個のＣＱＩ情報ビットが、例えば、１／２コードレート（ｃｏｄｅ  ｒａｔｅ）でチャネルコーディングされ、２０個のコーディングされたビットになる。チャネルコーディングには、リードマラー（Ｒｅｅｄ−Ｍｕｌｌｅｒ）コードが使われることができる。また、スクランブリング（ｓｃｒａｍｂｌｉｎｇ）された後、ＱＰＳＫコンステレーションマッピング（ｃｏｎｓｔｅｌｌａｔｉｏｎ  ｍａｐｐｉｎｇ）されることで、ＱＰＳＫ変調シンボルが生成される（スロット０で、ｄ（０）乃至ｄ（４））。各ＱＰＳＫ変調シンボルは、長さ１２である基本ＲＳシーケンス（ｒ（ｎ））の循環シフトに変調された後にＩＦＦＴされ、サブフレーム内の１０個のＳＣ−ＦＤＭＡシンボルの各々で送信される。均一に離隔された１２個の循環シフトは、１２個の互いに異なる端末が同じＰＵＣＣＨリソースブロックで直交に多重化されるようにする。ＯＦＤＭシンボル１及び５に適用されるＲＳシーケンスは、長さ１２である基本ＲＳシーケンス（ｒ（ｎ））が使われることができる。
【００７６】
図８は、ＰＵＣＣＨフォーマット３のチャネル構造を例示する。
【００７７】
図８を参照すると、ＰＵＣＣＨフォーマット３は、ブロックスプレッディング（ｂｌｏｃｋ  ｓｐｒｅａｄｉｎｇ）技法を使用するＰＵＣＣＨフォーマットである。ブロックスプレッディング技法は、ブロックスプレッディングコードを利用してマルチビットＡＣＫ／ＮＡＣＫを変調したシンボルシーケンスを時間領域で拡散する方法を意味する。
【００７８】
ＰＵＣＣＨフォーマット３では、シンボルシーケンス（例えば、ＡＣＫ／ＮＡＣＫシンボルシーケンス）がブロックスプレッディングコードにより時間領域で拡散されて送信される。ブロックスプレッディングコードとして、直交カバーコード（ｏｒｔｈｏｇｏｎａｌ  ｃｏｖｅｒ  ｃｏｄｅ：ＯＣＣ）が使われることができる。ブロックスプレッディングコードにより複数の端末の制御信号が多重化されることができる。ＰＵＣＣＨフォーマット２では、各データシンボルで送信されるシンボル（例えば、図７のｄ（０）、ｄ（１）、ｄ（２）、ｄ（３）、ｄ（４）等）が異なり、ＣＡＺＡＣ（ｃｏｎｓｔａｎｔ  ａｍｐｌｉｔｕｄｅ  ｚｅｒｏ  ａｕｔｏ−ｃｏｒｒｅｌａｔｉｏｎ）シーケンスの循環シフトを利用して端末多重化を実行し、それに対し、ＰＵＣＣＨフォーマット３では、一つ以上のシンボルで構成されるシンボルシーケンスが各データシンボルの周波数領域にわたって送信され、ブロックスプレッディングコードにより時間領域で拡散されて端末多重化を実行するという点が異なる。図８では、一つのスロットで２個のＲＳシンボルを使用する場合を例示したが、これに制限されるものではなく、３個のＲＳシンボルを使用し、スプレッディングファクタ（ｓｐｒｅａｄｉｎｇ  ｆａｃｔｏｒ）値として４を有する直交カバーコードを使用することもできる。ＲＳシンボルは、特定循環シフトを有するＣＡＺＡＣシーケンスから生成されることができ、時間領域の複数のＲＳシンボルに特定直交カバーコードをかけた形態に送信されることができる。
【００７９】
以下、キャリアアグリゲーション（ｃａｒｒｉｅｒ  ａｇｇｒｅｇａｔｉｏｎ）システムに対して説明する。キャリアアグリゲーションシステムは、多重搬送波（ｍｕｌｔｉｐｌｅ  ｃａｒｒｉｅｒ）システムともいう。
【００８０】
３ＧＰＰ  ＬＴＥシステムは、ダウンリンク帯域幅とアップリンク帯域幅が異なるように設定される場合をサポートするが、これは一つのコンポーネントキャリア（ｃｏｍｐｏｎｅｎｔ  ｃａｒｒｉｅｒ、ＣＣ）を前提にする。３ＧＰＰ  ＬＴＥシステムは、最大２０ＭＨｚをサポートし、アップリンク帯域幅とダウンリンク帯域幅が異なる場合も、アップリンクとダウンリンクの各々に一つのＣＣのみをサポートする。
【００８１】
キャリアアグリゲーション（ｃａｒｒｉｅｒ  ａｇｇｒｅｇａｔｉｏｎ）（または、帯域幅アグリゲーション（ｂａｎｄｗｉｄｔｈ  ａｇｇｒｅｇａｔｉｏｎ）、スペクトラムアグリゲーション（ｓｐｅｃｔｒｕｍ  ａｇｇｒｅｇａｔｉｏｎ）ともいう）は、複数のＣＣをサポートする。例えば、２０ＭＨｚ帯域幅を有する搬送波単位のグラニュラリティ（ｇｒａｎｕｌａｒｉｔｙ）として５個のＣＣが割り当てられる場合、最大１００Ｍｈｚの帯域幅をサポートすることができる。
【００８２】
図９は、単一搬送波システムとキャリアアグリゲーションシステムの比較例である。
【００８３】
キャリアアグリゲーションシステム（図９（ｂ））は、ＤＬ  ＣＣとＵＬ  ＣＣが各々３個ずつあるが、ＤＬ  ＣＣとＵＬ  ＣＣの個数に制限があるものではない。各ＤＬ  ＣＣでＰＤＣＣＨとＰＤＳＣＨが独立的に送信され、各ＵＬ  ＣＣでＰＵＣＣＨとＰＵＳＣＨが独立的に送信されることができる。または、ＰＵＣＣＨは、特定ＵＬ  ＣＣを介してのみ送信されることもできる。
【００８４】
ＤＬ  ＣＣ−ＵＬ  ＣＣの対が３個定義されるため、端末は、３個のセルからサービスの提供を受けるということができる。以下、端末にサービスを提供するように設定されたセルをサービングセルという。
【００８５】
端末は、複数のＤＬ  ＣＣでＰＤＣＣＨをモニタリングし、複数のＤＬ  ＣＣを介して同時にＤＬトランスポートブロックを受信することができる。端末は、複数のＵＬ  ＣＣを介して同時に複数のＵＬトランスポートブロックを送信することができる。
【００８６】
ＤＬ  ＣＣ  ＃Ａ（ＤＬコンポーネントキャリアＡ）とＵＬ  ＣＣ  ＃Ａ（ＵＬコンポーネントキャリアＡ）の対が第１のサービングセルになり、ＤＬ  ＣＣ  ＃ＢとＵＬ  ＣＣ  ＃Ｂの対が第２のサービングセルになり、ＤＬ  ＣＣ  ＃ＣとＵＬ  ＣＣ  ＃Ｃが第３のサービングセルになることができる。各サービングセルは、セルインデックス（Ｃｅｌｌ  ｉｎｄｅｘ、ＣＩ）を介して識別されることができる。ＣＩは、セル内で固有または端末−特定的である。
【００８７】
サービングセルは、プライマリセル（ｐｒｉｍａｒｙ  ｃｅｌｌ）とセカンダリセル（ｓｅｃｏｎｄａｒｙ  ｃｅｌｌ）に区分されることができる。プライマリセルは、端末が初期接続確立過程を実行し、または接続再確立過程を開始し、またはハンドオーバ過程でプライマリセルに指定されたセルである。プライマリセルは、基準セル（ｒｅｆｅｒｅｎｃｅ  ｃｅｌｌ）ともいう。セカンダリセルは、ＲＲＣ接続が確立された後に設定されることができ、追加的な無線リソースの提供に使われることができる。常に少なくとも一つのプライマリセルが設定され、セカンダリセルは上位階層シグナリング（例、ＲＲＣメッセージ）により追加／修正／解除されることができる。プライマリセルのＣＩは、固定されることができる。例えば、最も低いＣＩがプライマリセルのＣＩに指定されることができる。
【００８８】
プライマリセルは、コンポーネントキャリア側面で、ＤＬ  ＰＣＣ（ｄｏｗｎｌｉｎｋ  ｐｒｉｍａｒｙ  ｃｏｍｐｏｎｅｎｔ  ｃａｒｒｉｅｒ）とＵＬ  ＰＣＣ（ｕｐｌｉｎｋ  ｐｒｉｍａｒｙ  ｃｏｍｐｏｎｅｎｔ  ｃａｒｒｉｅｒ）で構成される。セカンダリセルは、コンポーネントキャリア側面で、ＤＬ  ＳＣＣ（ｄｏｗｎｌｉｎｋ  ｓｅｃｏｎｄａｒｙ  ｃｏｍｐｏｎｅｎｔ  ｃａｒｒｉｅｒ）のみで構成され、またはＤＬ  ＳＣＣ及びＵＬ  ＳＣＣ（ｕｐｌｉｎｋ  ｓｅｃｏｎｄａｒｙ  ｃｏｍｐｏｎｅｎｔ  ｃａｒｒｉｅｒ）の対で構成されることができる。以下、セルという用語とＣＣ（ｃｏｍｐｏｎｅｎｔ  ｃａｒｒｉｅｒ）という用語を混用することができる。
【００８９】
前述したように、キャリアアグリゲーションシステムでは単一搬送波システムと違って複数のコンポーネントキャリア（ｃｏｍｐｏｎｅｎｔ  ｃａｒｒｉｅｒ、ＣＣ）、即ち、複数のサービングセルをサポートすることができる。
【００９０】
このようなキャリアアグリゲーションシステムは、交差搬送波スケジューリング（ｃｒｏｓｓ−ｃａｒｒｉｅｒ  ｓｃｈｅｄｕｌｉｎｇ：ＣＣＳ）をサポートすることができる。交差搬送波スケジューリングは、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるＤＬ  ＣＣを介して送信されることができ、ＵＬグラントを含むＰＤＣＣＨが送信されたＤＬ  ＣＣとリンクされたＵＬ  ＣＣではない他のＵＬ  ＣＣを介してＰＵＳＣＨが送信されることができる。このように交差搬送波スケジューリングをサポートするシステムでは、ＰＤＣＣＨが制御情報を提供するＰＤＳＣＨ／ＰＵＳＣＨがどのＤＬ  ＣＣ／ＵＬ  ＣＣを介して送信されるかを知らせる搬送波指示子が必要である。以下、このような搬送波指示子を含むフィールドを搬送波指示フィールド（ｃａｒｒｉｅｒ  ｉｎｄｉｃａｔｉｏｎ  ｆｉｅｌｄ、ＣＩＦ）という。
【００９１】
交差搬送波スケジューリングをサポートするキャリアアグリゲーションシステムは、従来のＤＣＩ（ｄｏｗｎｌｉｎｋ  ｃｏｎｔｒｏｌ  ｉｎｆｏｒｍａｔｉｏｎ）フォーマットに搬送波指示フィールド（ＣＩＦ）を含むことができる。交差搬送波スケジューリングをサポートするシステム、例えば、ＬＴＥ−Ａシステムでは、既存のＤＣＩフォーマット（即ち、ＬＴＥで使用するＤＣＩフォーマット）にＣＩＦが追加されるため、３ビットが拡張されることができ、ＰＤＣＣＨ構造は、既存のコーディング方法、リソース割当方法（即ち、ＣＣＥベースのリソースマッピング）等を再使用することができる。
【００９２】
基地局は、ＰＤＣＣＨモニタリングＤＬ  ＣＣ（モニタリングＣＣ）集合を設定することができる。ＰＤＣＣＨモニタリングＤＬ  ＣＣ集合は、アグリゲーションされた全体ＤＬ  ＣＣのうち一部ＤＬ  ＣＣで構成され、交差搬送波スケジューリングが設定されると、端末は、ＰＤＣＣＨモニタリングＤＬ  ＣＣ集合に含まれているＤＬ  ＣＣに対してのみＰＤＣＣＨモニタリング／デコーディングを実行する。即ち、基地局は、ＰＤＣＣＨモニタリングＤＬ  ＣＣ集合に含まれているＤＬ  ＣＣを介してのみ、スケジューリングしようとするＰＤＳＣＨ／ＰＵＳＣＨに対するＰＤＣＣＨを送信する。ＰＤＣＣＨモニタリングＤＬ  ＣＣ集合は、端末特定的、端末グループ特定的、またはセル特定的に設定されることができる。
【００９３】
非交差搬送波スケジューリング（ｎｏｎ−ｃｒｏｓｓ  ｃａｒｒｉｅｒ  ｓｃｈｅｄｕｌｉｎｇ：ＮＣＣＳ）は、特定コンポーネントキャリアを介して送信されるＰＤＣＣＨを介して前記特定コンポーネントキャリアを介して送信されるＰＤＳＣＨのリソース割当及び／または前記特定コンポーネントキャリアと基本的にリンクされているコンポーネントキャリアを介して送信されるＰＵＳＣＨのリソース割当をすることができるスケジューリング方法である。
【００９４】
以下、３ＧＰＰ  ＬＴＥ  ＴＤＤ（Ｔｉｍｅ  Ｄｉｖｉｓｉｏｎ  Ｄｕｐｌｅｘ）でのＨＡＲＱのためのＡＣＫ／ＮＡＣＫ送信に対して記述する。
【００９５】
ＴＤＤは、ＦＤＤ（Ｆｒｅｑｕｅｎｃｙ  Ｄｉｖｉｓｉｏｎ  Ｄｕｐｌｅｘ）と違って、一つの無線フレームにＤＬサブフレームとＵＬサブフレームが共存する。ＴＤＤフレームでは、ＵＬ−ＤＬ設定によって、ＵＬサブフレームの個数がＤＬサブフレームの個数より少ない、または同じである。したがって、ＡＣＫ／ＮＡＣＫ信号を送信するためのＵＬサブフレームが足りない場合を対比し、複数のＤＬサブフレームで受信したＤＬトランスポートブロックまたはＰＤＳＣＨに対する複数のＡＣＫ／ＮＡＣＫ信号を一つのＵＬサブフレームで送信することをサポートしている。
【００９６】
３ＧＰＰ  ＴＳ  ３６．２１３  Ｖ８．７．０（２００９−０５）の１０．１節によると、ＡＣＫ／ＮＡＣＫバンドリング（ＡＣＫ／ＮＡＣＫ  ｂｕｎｄｌｉｎｇ）とＡＣＫ／ＮＡＣＫ多重化（ＡＣＫ／ＮＡＣＫ  ｍｕｌｔｉｐｌｅｘｉｎｇ）の二つのＡＣＫ／ＮＡＣＫモードが開示される。
【００９７】
ＡＣＫ／ＮＡＣＫバンドリングは、端末が受信したＰＤＳＣＨ（ダウンリンクトランスポートブロック）のデコーディングに全部成功する場合はＡＣＫを送信し、以外の場合はＮＡＣＫを送信する。そのために、各ＰＤＳＣＨに対するＡＣＫまたはＮＡＣＫを論理的ＡＮＤ演算（ｌｏｇｉｃａｌ  ＡＮＤ  ｏｐｅｒａｔｉｏｎ）を介して圧縮する。
【００９８】
ＡＣＫ／ＮＡＣＫ多重化は、ＡＣＫ／ＮＡＣＫチャネル選択（または、単にチャネル選択）ともいう。ＡＣＫ／ＮＡＣＫ多重化によると、端末は、複数のＰＵＣＣＨリソースの中から一つのＰＵＣＣＨリソースを選択してＡＣＫ／ＮＡＣＫを送信する。
【００９９】
以下の表は、３ＧＰＰ  ＬＴＥにおいて、ＵＬ−ＤＬ設定によるＵＬサブフレームｎと連結された（ａｓｓｏｃｉａｔｅｄ）ＤＬサブフレームｎ−ｋ、ここで、ｋ∈Ｋ、Ｍは集合Ｋの要素の個数を示す。
【０１００】
【表５】
0006029769.tif 000008
【０１０１】
ＵＬサブフレームｎにＭ個のＤＬサブフレームが連結されていると仮定し、例えば、Ｍ＝３の場合を考慮すると、端末は、３個のＤＬサブフレームから３個のＰＤＣＣＨを受信することができるため、３個のＰＵＣＣＨリソース（ｎ（１）ＰＵＣＣＨ，０、ｎ（１）ＰＵＣＣＨ，１、ｎ（１）ＰＵＣＣＨ，２）を取得することができる。このような場合、ＡＣＫ／ＮＡＣＫチャネル選択の例は、以下の表の通りである。
【０１０２】
【表６】
0006029769.tif 000009
【０１０３】
前記表において、ＨＡＲＱ−ＡＣＫ（ｉ）は、Ｍ個のダウンリンクサブフレームのうちｉ番目のダウンリンクサブフレームに対するＡＣＫ／ＮＡＣＫを示す。ＤＴＸ（ＤＴＸ（Ｄｉｓｃｏｎｔｉｎｕｏｕｓ  Ｔｒａｎｓｍｉｓｓｉｏｎ）は、該当するＤＬサブフレームでＰＤＳＣＨ上にＤＬトランスポートブロックを受信することができない、または対応するＰＤＣＣＨを検出することができないことを意味する。前記表６によると、３個のＰＵＣＣＨリソース（ｎ（１）ＰＵＣＣＨ，０、ｎ（１）ＰＵＣＣＨ，１、ｎ（１）ＰＵＣＣＨ，２）があり、ｂ（０）及びｂ（１）は、選択されたＰＵＣＣＨを利用して送信される２個のビットである。
【０１０４】
例えば、端末が３個のＤＬサブフレームで３個のＤＬトランスポートブロックを全部成功的に受信すると、端末は、ｎ（１）ＰＵＣＣＨ，２を利用してビット（１，１）をＱＰＳＫ変調し、ＰＵＣＣＨ上に送信する。端末が１番目の（ｉ＝０）ＤＬサブフレームでＤＬトランスポートブロックのデコーディングに失敗し、残りでデコーディングに成功すると、端末は、ｎ（１）ＰＵＣＣＨ，２を利用してビット（１，０）をＰＵＣＣＨ上に送信する。即ち、既存ＰＵＣＣＨフォーマット１ｂは、２ビットのＡＣＫ／ＮＡＣＫのみを送信することができる。しかし、チャネル選択は、割り当てられたＰＵＣＣＨリソースと実際ＡＣＫ／ＮＡＣＫ信号をリンクすることで、より多いＡＣＫ／ＮＡＣＫ状態を示す。このようなチャネル選択は、ＰＵＣＣＨフォーマット１ｂを利用するチャネル選択ともいう。
【０１０５】
チャネル選択で、少なくとも一つのＡＣＫがある場合、ＮＡＣＫとＤＴＸは、対になる（ｃｏｕｐｌｅ）。その理由は、予約された（ｒｅｓｅｒｖｅｄ）ＰＵＣＣＨリソースとＱＰＳＫシンボルの組合せでは全てのＡＣＫ／ＮＡＣＫ状態を示すことができないためである。しかし、ＡＣＫがない場合、ＤＴＸは、ＮＡＣＫと分離される（ｄｅｃｏｕｐｌｅ）。
【０１０６】
前述したＡＣＫ／ＮＡＣＫバンドリングとＡＣＫ／ＮＡＣＫ多重化（チャネル選択）は、ＴＤＤで端末に一つのサービングセルが設定された場合に適用されることができる。
【０１０７】
一例として、ＴＤＤで端末に一つのサービングセルが設定（即ち、プライマリセルのみが設定）され、ＡＣＫ／ＮＡＣＫバンドリングまたはＡＣＫ／ＮＡＣＫ多重化が使われ、Ｍ＝１の場合を仮定する。即ち、一つのＵＬサブフレームに一つのＤＬサブフレームが連結された場合を仮定する。
【０１０８】
１）端末がプライマリセルのサブフレームｎ−ｋで対応するＰＤＣＣＨにより指示されるＰＤＳＣＨ、またはＳＰＳ（ｓｅｍｉ−ｐｅｒｓｉｓｔｅｎｔ  ｓｃｈｅｄｕｌｉｎｇ）解除（ｒｅｌｅａｓｅ）ＰＤＣＣＨを検出した場合、サブフレームｎでＡＣＫ／ＮＡＣＫを送信する。ＬＴＥでは、基地局がＲＲＣ（ｒａｄｉｏ  ｒｅｓｏｕｒｃｅ  ｃｏｎｔｒｏｌ）のような上位階層信号を介して端末にどのサブフレームでセミパーシステント（ｓｅｍｉ−ｐｅｒｓｉｓｔｅｎｔ）な送信／受信を実行するかを知らせることができる。上位階層信号として与えられるパラメータは、例えば、サブフレームの周期とオフセット値である。端末は、ＲＲＣシグナリングを介してセミパーシステントな送信を認知した後、ＰＤＣＣＨを介してＳＰＳ送信の活性化（ａｃｔｉｖａｔｉｏｎ）、解除（ｒｅｌｅａｓｅ）信号を受信すると、ＳＰＳ  ＰＤＳＣＨ受信またはＳＰＳ  ＰＵＳＣＨ送信を実行または解除する。即ち、端末は、ＲＲＣシグナリングを介してＳＰＳスケジューリングの割当を受けても、即時ＳＰＳ送信を実行するものではなく、活性化または解除信号をＰＤＣＣＨを介して受信する場合、そのＰＤＣＣＨで指定したリソースブロック割当による周波数リソース（リソースブロック）、ＭＣＳ情報による変調、コーディング率を適用してＲＲＣシグナリングを介して割当を受けたサブフレーム周期、オフセット値に該当するサブフレームでＳＰＳ送信を実行する。このとき、ＳＰＳを解除するＰＤＣＣＨをＳＰＳ解除ＰＤＣＣＨといい、ダウンリンクＳＰＳ送信を解除するダウンリンク（ＤＬ）ＳＰＳ解除ＰＤＣＣＨは、ＡＣＫ／ＮＡＣＫ信号送信を必要とする。
【０１０９】
このとき、サブフレームｎで、端末は、ＰＵＣＣＨリソースｎ（１，ｐ）ＰＵＣＣＨによるＰＵＣＣＨフォーマット１ａ／１ｂを使用してＡＣＫ／ＮＡＣＫを送信する。ｎ（１，ｐ）ＰＵＣＣＨにおけるｐは、アンテナポートｐに対するものである。前記ｋは、前記表５により決められる。
【０１１０】
ＰＵＣＣＨリソースｎ（１，ｐ）ＰＵＣＣＨは、以下の数式のように割り当てられることができる。ｐは、ｐ０またはｐ１である。
【０１１１】
（数３）
ｎ（１，ｐ＝ｐ０）ＰＵＣＣＨ＝（Ｍ−ｍ−１）・Ｎｃ＋ｍ・Ｎｃ＋１＋ｎＣＣＥ＋Ｎ（１）ＰＵＣＣＨ  ｆｏｒ  ａｎｔｅｎｎａ  ｐｏｒｔ  ｐ＝ｐ０、
ｎ（１，ｐ＝ｐ１）ＰＵＣＣＨ＝（Ｍ−ｍ−１）・Ｎｃ＋ｍ・Ｎｃ＋１＋（ｎＣＣＥ＋１）＋Ｎ（１）ＰＵＣＣＨ  ｆｏｒ  ａｎｔｅｎｎａ  ｐｏｒｔ  ｐ＝ｐ１、
【０１１２】
数式３において、ｃは、｛０，１，２，３｝の中からＮｃ≦ｎＣＣＥ＜Ｎｃ＋１（アンテナポートｐ０）、Ｎｃ≦（ｎＣＣＥ＋１）＜Ｎｃ＋１（アンテナポートｐ１）を満たすように選択される。Ｎ（１）ＰＵＣＣＨは、上位階層信号により設定される値である。ＮＣ＝ｍａｘ｛０，ｆｌｏｏｒ［ＮＤＬＲＢ・（ＮＲＢｓｃ・ｃ−４）／３６］｝である。ＮＤＬＲＢはダウンリンク帯域幅であり、ＮＲＢｓｃは副搬送波個数で表示されるリソースブロックの周波数領域での大きさである。ｎＣＣＥは、サブフレームｎ−ｋｍで該当ＰＤＣＣＨの送信に使われた１番目のＣＣＥナンバである。ｍは、ｋｍが前記表５の集合Ｋで最も小さい値になるようにする値である。
【０１１３】
２）もし、端末がプライマリセルのダウンリンクサブフレームｎ−ｋでＳＰＳ  ＰＤＳＣＨ、即ち、対応するＰＤＣＣＨが存在しないＰＤＳＣＨを検出した場合は、次のようにＰＵＣＣＨリソースｎ（１，ｐ）ＰＵＣＣＨを利用してサブフレームｎでＡＣＫ／ＮＡＣＫを送信することができる。
【０１１４】
ＳＰＳ  ＰＤＳＣＨはスケジューリングするＰＤＣＣＨがないため、端末は、上位階層信号により設定されるｎ（１，ｐ）ＰＵＣＣＨによるＰＵＣＣＨフォーマット１ａ／１ｂを介してＡＣＫ／ＮＡＣＫを送信する。例えば、ＲＲＣ信号を介して４個のリソース（第１のＰＵＣＣＨリソース、第２のＰＵＣＣＨリソース、第３のＰＵＣＣＨリソース、第４のＰＵＣＣＨリソース）を予約し、ＳＰＳスケジューリングを活性化するＰＤＣＣＨのＴＰＣ（ｔｒａｎｓｍｉｓｓｉｏｎ  ｐｏｗｅｒ  ｃｏｎｔｒｏｌ）フィールドを介して一つのリソースを指示することができる。
【０１１５】
以下の表は、前記ＴＰＣフィールド値によってチャネル選択のためのリソースを指示する一例である。
【０１１６】
【表７】
0006029769.tif 000010
【０１１７】
他の例として、ＴＤＤで端末に一つのサービングセルが設定（即ち、プライマリセルのみが設定）され、ＡＣＫ／ＮＡＣＫ多重化が使われ、Ｍ＞１の場合を仮定する。即ち、一つのＵＬサブフレームに複数のＤＬサブフレームが連結された場合を仮定する。
【０１１８】
１）端末がサブフレームｎ−ｋｉ（０≦ｉ≦Ｍ−１）でＰＤＳＣＨを受信し、またはＤＬ  ＳＰＳ解除ＰＤＣＣＨを検出した場合、ＡＣＫ／ＮＡＣＫを送信するためのＰＵＣＣＨリソースｎ（１）ＰＵＣＣＨ，ｉは、以下の数式のように割り当てられることができる。ここで、ｋｉ∈Ｋであり、集合Ｋは、前記表５を参照して説明した。
【０１１９】
（数４）
ｎ（１）ＰＵＣＣＨ，ｉ＝（Ｍ−ｉ−１）・Ｎｃ＋ｉ・Ｎｃ＋１＋ｎＣＣＥ，ｉ＋Ｎ（１）ＰＵＣＣＨ
【０１２０】
ここで、ｃは、｛０，１，２，３｝の中からＮｃ≦ｎＣＣＥ，ｉ＜Ｎｃ＋１を満たすように選択される。  Ｎ（１）ＰＵＣＣＨは、上位階層信号により設定される値である。ＮＣ＝ｍａｘ｛０，ｆｌｏｏｒ［ＮＤＬＲＢ・（ＮＲＢｓｃ・ｃ−４）／３６］｝である。ＮＤＬＲＢはダウンリンク帯域幅であり、ＮＲＢｓｃは副搬送波個数で表示されるリソースブロックの周波数領域での大きさである。ｎＣＣＥ，ｉは、サブフレームｎ−ｋｉで該当ＰＤＣＣＨの送信に使われた１番目のＣＣＥナンバである。
【０１２１】
２）もし、端末が、対応されるＰＤＣＣＨがないＰＤＳＣＨ（即ち、ＳＰＳ  ＰＤＳＣＨ）をサブフレームｎ−ｋｉで受信した場合、ｎ（１）ＰＵＣＣＨ，ｉは、上位階層信号として与えられる設定及び表７によって決定される。
【０１２２】
もし、ＴＤＤで端末に二つ以上のサービングセルが設定された場合、端末は、ＰＵＣＣＨフォーマット１ｂを使用するチャネル選択またはＰＵＣＣＨフォーマット３を利用してＡＣＫ／ＮＡＣＫを送信する。ＴＤＤで端末に二つ以上のサービングセルが設定された場合に使われるＰＵＣＣＨフォーマット１ｂを使用するチャネル選択は、下記のように実行されることができる。
【０１２３】
ＰＵＣＣＨフォーマット１ｂを使用するチャネル選択を使用する複数のサービングセルが設定された場合、ＡＣＫ／ＮＡＣＫビットが４ビットより大きい場合、端末は、一つのダウンリンクサブフレーム内の複数のコードワードに対する空間ＡＣＫ／ＮＡＣＫバンドリング（ｓｐａｔｉａｌ  ＡＣＫ／ＮＡＣＫ  ｂｕｎｄｌｉｎｇ）を実行し、各サービングセルに対する空間バンドリングされたＡＣＫ／ＮＡＣＫビットをＰＵＣＣＨフォーマット１ｂを使用するチャネル選択を介して送信する。空間ＡＣＫ／ＮＡＣＫバンドリングは、同じダウンリンクサブフレーム内でコードワード別ＡＣＫ／ＮＡＣＫを論理的ＡＮＤ演算を介して圧縮することを意味する。
【０１２４】
もし、ＡＣＫ／ＮＡＣＫビットが４ビット以下の場合、空間ＡＣＫ／ＮＡＣＫバンドリングは使われずに、ＰＵＣＣＨフォーマット１ｂを使用するチャネル選択を介して送信される。
【０１２５】
端末にＰＵＣＣＨフォーマット３を使用する二つ以上のサービングセルが設定された場合、ＡＣＫ／ＮＡＣＫビットが２０ビットより大きい場合、空間ＡＣＫ／ＮＡＣＫバンドリングが各サービングセルで実行され、空間ＡＣＫ／ＮＡＣＫバンドリングされたＡＣＫ／ＮＡＣＫビットをＰＵＣＣＨフォーマット３を介して送信することができる。もし、ＡＣＫ／ＮＡＣＫビットが２０ビット以下の場合、空間ＡＣＫ／ＮＡＣＫバンドリングは使われずに、ＰＵＣＣＨフォーマット３を介してＡＣＫ／ＮＡＣＫビットが送信される。
【０１２６】
＜ＦＤＤに使われるＰＵＣＣＨフォーマット１ｂを使用するチャネル選択＞
【０１２７】
端末にＦＤＤを使用する二つのサービングセルが設定された場合は、ＰＵＣＣＨフォーマット１ｂを使用するチャネル選択を介してＡＣＫ／ＮＡＣＫを送信することができる。端末は、複数のＰＵＣＣＨリソースの中から選択された一つのＰＵＣＣＨリソースで２ビット（ｂ（０）ｂ（１））情報を送信することによって、一つのサービングセルで受信した最大２個までのトランスポートブロック（ｔｒａｎｓｐｏｒｔ  ｂｌｏｃｋ）に対するＡＣＫ／ＮＡＣＫを基地局にフィードバックすることができる。一つのトランスポートブロックで一つのコードワードが送信されることができる。Ａ個のＰＵＣＣＨリソースは、ｎ（１）ＰＵＣＣＨ，ｉというリソースインデックスで表示されることができる。ここで、Ａは｛２，３，４｝のうちいずれか一つであり、ｉは０≦ｉ≦（Ａ−１）である。２ビット情報は、ｂ（０）ｂ（１）と表示する。
【０１２８】
ＨＡＲＱ−ＡＣＫ（ｊ）は、サービングセルで送信されるトランスポートブロックまたはＤＬ  ＳＰＳ解除ＰＤＣＣＨと関連したＨＡＲＱ  ＡＣＫ／ＮＡＣＫ応答を示す。ＨＡＲＱ−ＡＣＫ（ｊ）とサービングセル及びトランスポートブロックは、下記のようなマッピング関係を有することができる。
【０１２９】
【表８】
0006029769.tif 000011
【０１３０】
前記表８において、例えば、Ａ＝４の場合、ＨＡＲＱ−ＡＣＫ（０）及びＨＡＲＱ−ＡＣＫ（１）がプライマリセルで送信される２個のトランスポートブロックに対するＡＣＫ／ＮＡＣＫを示し、ＨＡＲＱ−ＡＣＫ（２）及びＨＡＲＱ−ＡＣＫ（３）は、セカンダリセルで送信される２個のトランスポートブロックに対するＡＣＫ／ＮＡＣＫを示す。
【０１３１】
端末は、プライマリセルのサブフレーム（ｎ−４）でＰＤＣＣＨを検出してＰＤＳＣＨを受信し、またはＤＬ  ＳＰＳ解除ＰＤＣＣＨを検出すると、ＰＵＣＣＨリソースｎ（１）ＰＵＣＣＨ，ｉを利用してＡＣＫ／ＮＡＣＫを送信する。このとき、ｎ（１）ＰＵＣＣＨ，ｉは、ｎＣＣＥ，ｉ＋Ｎ（１）ＰＵＣＣＨに決定される。ここで、ｎＣＣＥ，ｉは、基地局が前記ＰＤＣＣＨ送信に使用する１番目のＣＣＥのインデックスを意味し、Ｎ（１）ＰＵＣＣＨは、上位階層信号を介して設定される値である。プライマリセルの送信モードが２個までのトランスポートブロックをサポートする場合は、ＰＵＣＣＨリソースｎ（１）ＰＵＣＣＨ，ｉ＋１が与えられ、ｎ（１）ＰＵＣＣＨ，ｉ＋１はｎＣＣＥ，ｉ＋１＋Ｎ（１）ＰＵＣＣＨに決定されることができる。即ち、プライマリセルが最大２個までのトランスポートブロックが送信されることができる送信モードに設定される場合、２個のＰＵＣＣＨリソースが決定されることができる。
【０１３２】
プライマリセルのサブフレーム（ｎ−４）で検出したＰＤＣＣＨが存在しない場合、ＰＤＳＣＨに対するＡＣＫ／ＮＡＣＫを送信するＰＵＣＣＨリソースｎ（１）ＰＵＣＣＨ，ｉは、上位階層設定により決定される。２個までのトランスポートブロックをサポートする場合、ＰＵＣＣＨリソースｎ（１）ＰＵＣＣＨ，ｉ＋１は、ｎ（１）ＰＵＣＣＨ，ｉ＋１＝ｎ（１）ＰＵＣＣＨ，ｉ＋１として与えられることができる。
【０１３３】
サブフレーム（ｎ−４）でＰＤＣＣＨを検出してセカンダリセルでＰＤＳＣＨを受信した場合、２個までのトランスポートブロックをサポートする送信モードに対するＰＵＣＣＨリソースｎ（１）ＰＵＣＣＨ，ｉ及びｎ（１）ＰＵＣＣＨ，ｉ＋１は、上位階層設定によって決定されることができる。
【０１３４】
端末に設定される複数のサービングセルは、従来技術では全部同じタイプの無線フレームを使用することを前提にした。例えば、端末に設定される複数のサービングセルは、全部ＦＤＤフレームを使用し、または全部ＴＤＤフレームを使用することを前提にした。しかし、次世代無線通信システムでは、各サービングセルが互いに異なるタイプの無線フレームを使用することもできる。
【０１３５】
図１０は、無線通信システムにおいて、複数のサービングセルが互いに異なるタイプの無線フレームを使用する一例を示す。
【０１３６】
図１０を参照すると、端末にプライマリセル（ＰＣｅｌｌ）、複数のセカンダリセル（ＳＣｅｌｌ＃１，．．．，ＳＣｅｌｌ＃Ｎ）が設定されることができる。このような場合、プライマリセルは、ＦＤＤで動作してＦＤＤフレームを使用し、セカンダリセルは、ＴＤＤで動作してＴＤＤフレームを使用することができる。複数のセカンダリセルには同じＵＬ−ＤＬ設定が使われることができる。プライマリセルは、ダウンリンクサブフレーム（Ｄで表示）とアップリンクサブフレーム（Ｕで表示）が１：１に存在するが、セカンダリセルは、ダウンリンクサブフレームとアップリンクサブフレームが１：１でない割合で存在できる。
【０１３７】
以下の表９は、従来一つのサービングセルがＴＤＤで動作する場合、ＵＬ−ＤＬ設定によってどのサブフレームでＡＣＫ／ＮＡＣＫを送信するかを示す。表９は、表５と等価である。
【０１３８】
【表９】
0006029769.tif 000012
【０１３９】
表９において、端末がサブフレームｎでＰＤＳＣＨまたはＡＣＫ／ＮＡＣＫ応答が必要なＰＤＣＣＨ（例えば、ＤＬ  ＳＰＳ解除ＰＤＣＣＨ）を受信した場合、サブフレームｎ＋ｋ（ｎ）でＡＣＫ／ＮＡＣＫを送信し、前記表９の各値は、前記ｋ（ｎ）値を示す。例えば、ＵＬ−ＤＬ設定が０の場合、サブフレーム０でＰＤＳＣＨを受信すると、４サブフレーム以後であるサブフレーム４でＡＣＫ／ＮＡＣＫを送信することを示す。端末は、ＰＤＳＣＨまたはＤＬ  ＳＰＳ解除ＰＤＣＣＨを受信した後、ＡＣＫ／ＮＡＣＫを送信するために特定時間が必要である。このような特定時間の最小値を以下でｋｍｉｎと表示し、その値は４サブフレームである。前記特定時間の最小値である４サブフレームは、送受信端間の伝播遅延（ｐｒｏｐａｇａｔｉｏｎ  ｄｅｌａｙ）及び受信端でのデコーディング（ｄｅｃｏｄｉｎｇ）に必要な処理時間（ｐｒｏｃｅｓｓｉｎｇ  ｔｉｍｅ）を考慮して決定されたものである。前記表９において、ＡＣＫ／ＮＡＣＫを送信する時点を見ると、大部分のｋｍｉｎが経過した最初のアップリンクサブフレームでＡＣＫ／ＮＡＣＫを送信することを知ることができる。ただし、表９において、下線を引いた数字は、ｋｍｉｎが経過した最初のアップリンクサブフレームを指示せずに、その次に位置したアップリンクサブフレームを指示している。このようにする理由は、一つのアップリンクサブフレームであまりにも多くのダウンリンクサブフレームに対するＡＣＫ／ＮＡＣＫを送信することを防止するためのことである。
【０１４０】
一方、ＦＤＤの場合、ＵＬサブフレーム：ＤＬサブフレームの比が常に１：１であるため、以下の表のようにＡＣＫ／ＮＡＣＫタイミングが決められる。
【０１４１】
【表９−１】
0006029769.tif 000013
【０１４２】
即ち、前記表で示すように、全てのサブフレームに対してｋ（ｎ）＝ｋｍｉｎ＝４である。
【０１４３】
一方、従来には全てのサービングセルが同じタイプの無線フレームを使用したし、これを前提にしたＡＣＫ／ＮＡＣＫ送信タイミング、即ち、ＨＡＲＱタイミングが決められた。しかし、複数のサービングセルが互いに異なるタイプの無線フレームを使用する場合、どのような方法を利用してＡＣＫ／ＮＡＣＫを送信するかを規定する必要がある。
【０１４４】
以下、無線通信システムは、プライマリセル及び少なくとも一つのセカンダリセルが端末に設定された場合を仮定する。また、プライマリセルはＦＤＤフレームを使用し、セカンダリセルはＴＤＤフレームを使用すると仮定する。ＴＤＤフレームでは、前記表１のＵＬ−ＤＬ設定のうちいずれか一つを使用することができる。以下、説明の便宜のために、プライマリセルと一つのセカンダリセルとの間の関係のみを例示するが、このような関係は、複数のセカンダリセルが端末に設定された場合、プライマリセルと各セカンダリセルとの関係に各々適用されることができる。
【０１４５】
このような仮定下、まず、プライマリセルを介して受信したダウンリンクデータに対するＡＣＫ／ＮＡＣＫ送信方法に対して説明する。以下、ダウンリンクデータは、ＡＣＫ／ＮＡＣＫ応答を要求するＰＤＳＣＨ、ＰＤＳＣＨに含まれているコードワード、ＤＬ  ＳＰＳ解除を指示するＤＬ  ＳＰＳ解除ＰＤＣＣＨなどを通称する。
【０１４６】
図１１は、プライマリセルを介して受信したダウンリンクデータに対するＡＣＫ／ＮＡＣＫ送信方法を示す。
【０１４７】
図１１を参照すると、基地局は、プライマリセルのサブフレームｎでダウンリンクデータを送信する（Ｓ１１０）。端末立場では、プライマリセルのＤＬ  ＰＣＣのサブフレームｎでダウンリンクデータを受信する。
【０１４８】
端末は、ダウンリンクデータをデコーディングし、ダウンリンクデータに対するＡＣＫ／ＮＡＣＫを生成する（Ｓ１２０）。
【０１４９】
端末は、プライマリセルのサブフレームｎ＋ｋＰＣＣ（ｎ）でＡＣＫ／ＮＡＣＫを送信する（Ｓ１３０）。
【０１５０】
前記プライマリセルのサブフレームｎ＋ｋＰＣＣ（ｎ）は、ダウンリンクデータを受信した時点を基準にしてＡＣＫ／ＮＡＣＫ応答のために必要な最小遅延時間（これをｋｍｉｎという）が経過された後のサブフレームである。このとき、前記最小遅延時間（ｋｍｉｎ）は４サブフレームである。したがって、端末は、プライマリセルのＵＬ  ＰＣＣのサブフレームｎ＋４でＡＣＫ／ＮＡＣＫを送信することができる。
【０１５１】
即ち、プライマリセルでは、従来のＦＤＤでのＨＡＲＱ実行と同様に、データを受信したサブフレームで４サブフレーム後のサブフレームでＡＣＫ／ＮＡＣＫを送信する。
【０１５２】
以下、端末がセカンダリセルでダウンリンクデータを受信した場合、ＡＣＫ／ＮＡＣＫ送信方法に対して説明する。
【０１５３】
図１２は、セカンダリセルを介して受信したダウンリンクデータに対するＡＣＫ／ＮＡＣＫ送信方法を示す。
【０１５４】
図１２を参照すると、基地局は、セカンダリセルのＵＬ−ＤＬ設定情報を送信する（Ｓ２１０）。セカンダリセルは、ＴＤＤで動作するため、ＵＬ−ＤＬ設定情報が必要である。ＵＬ−ＤＬ設定情報は、ＲＲＣメッセージのような上位階層信号を介して送信されることができる。
【０１５５】
基地局は、セカンダリセルのサブフレームｎでダウンリンクデータを送信する（Ｓ２２０）。
【０１５６】
端末は、ダウンリンクデータをデコーディングし、ダウンリンクデータに対するＡＣＫ／ＮＡＣＫを生成する（Ｓ２３０）。
【０１５７】
端末は、プライマリセルのサブフレームｎ＋ｋＳＣＣ（ｎ）を介して基地局にＡＣＫ／ＮＡＣＫを送信する（Ｓ２４０）。サブフレームｎ＋ｋＳＣＣ（ｎ）は、アップリンクサブフレームであり、下記のような方法により決定されることができる。
【０１５８】
＜互いに異なるフレーム構造を使用するＣＣがアグリゲーションされるシステムでＨＡＲＱ  ＡＣＫ／ＮＡＣＫ送信タイミング＞
【０１５９】
＜方法１＞
【０１６０】
サブフレームｎ＋ｋＳＣＣ（ｎ）は、プライマリセルでのＡＣＫ／ＮＡＣＫ送信タイミングに従う方法である。即ち、ｎ＋ｋｍｉｎと同じプライマリセルのアップリンクサブフレームをサブフレームｎ＋ｋＳＣＣ（ｎ）に設定する方法である。つまり、セカンダリセルのサブフレームｎでデータを受信した場合、前記データに対するＡＣＫ／ＮＡＣＫをプライマリセルのサブフレームｎ＋ｋｍｉｎで送信するものである。このとき、ｋｍｉｎは、一例として４サブフレームである。
【０１６１】
図１３は、プライマリセルがＦＤＤセルであり、セカンダリセルがＴＤＤセルである場合、ＡＣＫ／ＮＡＣＫ送信タイミングを示す一例である。
【０１６２】
図１３を参照すると、ＰＣＣのＤＬサブフレームｎで受信されるＤＬデータチャネルまたはＤＬ制御チャネルに対するＡＣＫ／ＮＡＣＫが送信されるＰＣＣのＵＬサブフレームをサブフレームｎ＋ｋＰＣＣ（ｎ）と仮定する。ＦＤＤの場合、ＡＣＫ／ＮＡＣＫの送信遅延を防止するために既存と同様にｋＰＣＣ（ｎ）＝ｋｍｉｎ＝４に設定することができる。
【０１６３】
ＳＣＣのサブフレームｎで受信されるＤＬデータチャネルまたはＤＬ制御チャネルに対するＡＣＫ／ＮＡＣＫが送信されるＰＣＣのＵＬサブフレームをサブフレームｎ＋ｋＳＣＣ（ｎ）と仮定すると、ｋＳＣＣ（ｎ）は、ＰＣＣに設定されたＦＤＤのＡＣＫ／ＮＡＣＫタイミングに従うことができる。即ち、ｋＳＣＣ（ｎ）＝ｋｍｉｎ＝４である。例えば、ＳＣＣのサブフレームｎ１３１で受信したＤＬデータチャネルまたはＤＬ制御チャネルに対するＡＣＫ／ＮＡＣＫは、ＰＣＣのサブフレームｎ＋４で送信される。
【０１６４】
図１４は、方法１によるＡＣＫ／ＮＡＣＫ送信方法を示す。
【０１６５】
図１４を参照すると、第１のセル及び第２のセルがアグリゲーションされた状況で前記第２のセルのＤＬサブフレームでＡＣＫ／ＮＡＣＫを必要とするデータを受信する（Ｓ１６１）。ここで、ＡＣＫ／ＮＡＣＫを必要とするデータは、ＰＤＳＣＨ、トランスポートブロック、ＤＬ  ＳＰＳ解除ＰＤＣＣＨのようにＡＣＫ／ＮＡＣＫ応答が要求されるものを通称する。第１のセルは、ＦＤＤフレームを利用するＦＤＤセルであって、プライマリセルであり、第２のセルは、ＴＤＤフレームを利用するＴＤＤセルであって、セカンダリセルである。
【０１６６】
端末は、第１のセルのＡＣＫ／ＮＡＣＫタイミングによって決定される第１のセルのＵＬサブフレームで前記データに対するＡＣＫ／ＮＡＣＫを送信する（Ｓ１６２）。
【０１６７】
方法１によると、セカンダリセルで受信したダウンリンクデータに対するＡＣＫ／ＮＡＣＫがダウンリンクデータ受信時点を基準にして常にｋｍｉｎ個のサブフレーム後に送信されるため、ＡＣＫ／ＮＡＣＫ遅延が最小化するという長所がある。
【０１６８】
また、従来ＴＤＤでは、一つのアップリンクサブフレームに対応されるダウンリンクサブフレームの個数が多い場合、前記一つのアップリンクサブフレームで送信しなければならないＡＣＫ／ＮＡＣＫが多くなる問題があった。しかし、前記方法１によると、ＡＣＫ／ＮＡＣＫ送信が分散されるという長所がある。
【０１６９】
ＡＣＫ／ＮＡＣＫを送信するプライマリセルのアップリンクサブフレームをサブフレームｎとすると、サブフレームｎで確保しなければならないＡＣＫ／ＮＡＣＫリソースの個数は、サブフレームｎ−ｋｍｉｎに対するプライマリセルの送信モード、セカンダリセルのダウンリンクサブフレームでの送信モードによって決定されることができる。
【０１７０】
方法１によると、セカンダリセルで受信したデータに対して適用されるＡＣＫ／ＮＡＣＫタイミングは、前記表５から以下の表１０に変更されることができる。
【０１７１】
【表１０】
0006029769.tif 000014
【０１７２】
即ち、セカンダリセルのＵＬ−ＤＬ設定が前記表１０のうちいずれか一つと同じであり、プライマリセルがＦＤＤフレームを使用する場合、サブフレームｎはＡＣＫ／ＮＡＣＫを送信するサブフレームであり、サブフレームｎに表示された数字はｋｍｉｎを示す。このとき、サブフレームｎ−ｋｍｉｎは、前記ＡＣＫ／ＮＡＣＫの対象となるダウンリンクデータを受信するサブフレームを示す。例えば、表１０において、ＵＬ−ＤＬ設定０であり、サブフレーム９には４が記載されている。この場合、セカンダリセルのサブフレーム５（＝９−４）で受信したダウンリンクデータに対するＡＣＫ／ＮＡＣＫがプライマリセルのサブフレーム９で送信されることを示す。
【０１７３】
方法１によると、端末に適用されるＡＣＫ／ＮＡＣＫタイミングは、前記表９から以下の表１１に変更されることができる。
【０１７４】
【表１１】
0006029769.tif 000015
【０１７５】
表１１において、サブフレームｎは、ダウンリンクデータを受信するサブフレームを示し、サブフレームｎ＋ｋＳＣＣ（ｎ）は、前記ダウンリンクデータに対するＡＣＫ／ＮＡＣＫを送信するサブフレームである。前記表１１の各値は、サブフレームｎに対する前記ｋＳＣＣ（ｎ）値を示している。例えば、ＵＬ−ＤＬ設定が０の場合、セカンダリセルのサブフレーム１でダウンリンクデータを受信すると、４サブフレーム以後であるサブフレーム５（プライマリセルの）でＡＣＫ／ＮＡＣＫを送信することを示している。
【０１７６】
前記表１０、表１１及び図１３は、プライマリセルとセカンダリセルの無線フレーム境界が一致することを前提にする。即ち、プライマリセルの無線フレームとセカンダリセルの無線フレームが同期化されることを前提にする。もし、プライマリセルとセカンダリセルの無線フレームが同期化されない場合、これを補償するための追加的なサブフレーム遅延（これをＫａｄｄと表示）を考慮することができる。即ち、方法１において、ｋＳＣＣ（ｎ）は、ｋｍｉｎ＋Ｋａｄｄに変更されることもできる。
【０１７７】
または、セカンダリセルのサブフレームｎでダウンリンクデータを受信し、前記ダウンリンクデータに対するＡＣＫ／ＮＡＣＫを送信するサブフレームをｎ＋ｋＳＣＣ（ｎ）とすると、前記ｋＳＣＣ（ｎ）がｋｍｉｎ＋Ｋａｄｄより小さい場合、前記セカンダリセルのサブフレームｎでダウンリンクデータを送信しないようにスケジューリングを制限することもできる。
【０１７８】
＜方法２＞
【０１７９】
方法２は、ＡＣＫ／ＮＡＣＫを送信するサブフレームｎ＋ｋＳＣＣ（ｎ）をセカンダリセルでのＴＤＤ  ＡＣＫ／ＮＡＣＫ送信タイミングによって決定する方法である。即ち、ｋＳＣＣ（ｎ）を前記表９のように決定し、実際ＡＣＫ／ＮＡＣＫは、プライマリセルのＵＬ  ＰＣＣを介して送信する方法である。つまり、ＳＣＣで受信したＤＬデータチャネルまたはＤＬ制御チャネルに対するＡＣＫ／ＮＡＣＫは、ＳＣＣに設定されたＡＣＫ／ＮＡＣＫタイミングによってＰＣＣのＵＬサブフレームで送信されることができる。
【０１８０】
図１５は、プライマリセルがＦＤＤセルであり、セカンダリセルがＴＤＤセルである場合、ＡＣＫ／ＮＡＣＫ送信タイミングを示す他の例である。
【０１８１】
図１５を参照すると、ＰＣＣのＤＬサブフレームｎで受信されるＤＬデータチャネルまたはＤＬ制御チャネルに対するＡＣＫ／ＮＡＣＫが送信されるＰＣＣのＵＬサブフレームをサブフレームｎ＋ｋＰＣＣ（ｎ）と仮定する。ＦＤＤの場合、ＡＣＫ／ＮＡＣＫの送信遅延を防止するために既存と同様にｋＰＣＣ（ｎ）＝ｋｍｉｎ＝４に設定することができる。
【０１８２】
この場合、ＳＣＣのＤＬサブフレームｎ１４１で受信したＤＬデータチャネルまたはＤＬ制御チャネルに対するＡＣＫ／ＮＡＣＫは、ＳＣＣに設定されたＡＣＫ／ＮＡＣＫタイミングによると、ＳＣＣのＵＬサブフレームｎ＋ｋ（ｎ）１４２である。この場合、前記ＡＣＫ／ＮＡＣＫは、ＵＬサブフレームｎ＋ｋ（ｎ）１４２と同じ時点のＰＣＣのＵＬサブフレーム１４３で送信されるものである。
【０１８３】
図１６は、方法２によるＡＣＫ／ＮＡＣＫ送信方法を示す。
【０１８４】
図１６を参照すると、第１のセル及び第２のセルがアグリゲーションされた状況で、前記第２のセルのＤＬサブフレームでＡＣＫ／ＮＡＣＫを必要とするデータを受信する（Ｓ１５１）。ここで、ＡＣＫ／ＮＡＣＫを必要とするデータは、ＰＤＳＣＨ、トランスポートブロック、ＤＬ  ＳＰＳ解除ＰＤＣＣＨのようにＡＣＫ／ＮＡＣＫ応答が要求されるものを意味する。第１のセルは、ＦＤＤフレームを利用するＦＤＤセルであって、プライマリセルであり、第２のセルは、ＴＤＤフレームを利用するＴＤＤセルであって、セカンダリセルである。
【０１８５】
端末は、第２のセルのみが設定された場合、適用するＡＣＫ／ＮＡＣＫタイミングによって決定される第１のセルのＵＬサブフレームで前記データに対するＡＣＫ／ＮＡＣＫを送信する（Ｓ１５２）。
【０１８６】
このような方式は、ＴＤＤ  ＣＣに対するＡＣＫ／ＮＡＣＫタイミングを前記ＴＤＤ  ＣＣがプライマリセルとして使われるか、またはセカンダリセルとして使われるかと関係なく同じに適用することができるという長所がある。
【０１８７】
ＰＣＣのＵＬサブフレームで確保しなければならないＡＣＫ／ＮＡＣＫ送信のためのリソースの個数は、サブフレームｎ時点にＰＣＣ／ＳＣＣにＤＬサブフレームが存在するかどうか、存在するＤＬサブフレームでの送信モードによって決定される。
【０１８８】
もし、プライマリセルとセカンダリセルの無線フレームが同期化されない場合、これを補償するための追加的なサブフレーム遅延（これをＫａｄｄと表示）を考慮することができる。前記Ｋａｄｄは、固定された値を使用することもでき、ＲＲＣメッセージを介して設定する値を使用することもできる。方法２において、ｋ′ＳＣＣ（ｎ）＝ｋＳＣＣ（ｎ）＋Ｋａｄｄで表す時、セカンダリセルのサブフレームｎで受信したダウンリンクデータに対するＡＣＫ／ＮＡＣＫは、プライマリセルのアップリンクサブフレームｎ＋ｋ′ＳＣＣ（ｎ）で送信されると表現することができる。
【０１８９】
または、セカンダリセルのサブフレームｎでダウンリンクデータを受信し、前記ダウンリンクデータに対するＡＣＫ／ＮＡＣＫを送信するサブフレームをｎ＋ｋＳＣＣ（ｎ）とすると、前記ｋＳＣＣ（ｎ）がｋｍｉｎ＋Ｋａｄｄより小さい場合、前記セカンダリセルのサブフレームｎでダウンリンクデータを送信しないようにスケジューリングを制限することもできる。
【０１９０】
前述したプライマリセルでのＡＣＫ／ＮＡＣＫ送信方法とセカンダリセルに対するＡＣＫ／ＮＡＣＫ送信方法として方法１が使われる場合、プライマリセルとセカンダリセルに対するＡＣＫ／ＮＡＣＫは、ＦＤＤセル間のアグリゲーションで使われるＡＣＫ／ＮＡＣＫ送信技法に従うことができる。例えば、端末に複数のサービングセルが設定された場合のＦＤＤに使われるＰＵＣＣＨフォーマット１ｂを使用するチャネル選択を使用することができる。即ち、セカンダリセルに対するＡＣＫ／ＮＡＣＫは、ＡＣＫ／ＮＡＣＫバンドリングのような圧縮技法を使用せずに、プライマリセルを介してＰＵＣＣＨフォーマット１ｂを使用するチャネル選択を使用してＡＣＫ／ＮＡＣＫを送信する。プライマリセルの一つのアップリンクサブフレームに連結されるダウンリンクサブフレームが一つのみで決定されるため、ＡＣＫ／ＮＡＣＫバンドリングのような圧縮技法を使用しない。
【０１９１】
それに対し、プライマリセルでのＡＣＫ／ＮＡＣＫ送信方法とセカンダリセルに対するＡＣＫ／ＮＡＣＫ送信方法として方法２が使われる場合、プライマリセルとセカンダリセルに対するＡＣＫ／ＮＡＣＫは、ＴＤＤセル間のアグリゲーションで使われるＡＣＫ／ＮＡＣＫ送信技法に従うことができる。例えば、ＴＤＤで複数のサービングセルが設定された場合に使われるＰＵＣＣＨフォーマット１ｂを使用するチャネル選択を介してＡＣＫ／ＮＡＣＫを送信することができる。
【０１９２】
前述した方法１及び方法２は、交差搬送波スケジューリングであるかまたは非交差搬送波スケジューリングであるかによって適用可否が決定されることができる。例えば、交差搬送波スケジューリングでは方法１を使用し、非交差搬送波スケジューリングでは方法２を使用することができる。
【０１９３】
アグリゲーションされるＣＣで互いに異なるフレーム構造を使用すると（ＦＤＤ  ＣＣとＴＤＤ  ＣＣのアグリゲーション）、同じ時区間（サブフレーム）で、一つのＣＣはＵＬ送信をし、他のＣＣはＤＬ受信をするといった動作が発生できる。この場合、ＵＬ送信は、ＤＬ受信に干渉を及ぼすことができる。したがって、互いに隣接した周波数帯域で同時にＵＬ送信とＤＬ受信をすることは好ましくない。
【０１９４】
これを解決するために互いに干渉を与えないほど離れた周波数帯域別にグループ化し、一つのグループ内では同じＵＬ−ＤＬ設定を使用し、他のグループ同士は、互いに異なるＵＬ−ＤＬ設定を使用するようにすることが好ましい。
【０１９５】
例えば、割り当てられた周波数帯域の昇順にＣＣ＃１〜＃５がアグリゲーションされる場合、ＣＣ＃１及び＃２を第１のグループにグループ化し、ＣＣ＃３〜＃５を第２のグループにグループ化し、第１のグループ内の全てのＣＣはＵＬ−ＤＬ設定０を使用し、第２のグループ内の全てのＣＣはＵＬ−ＤＬ設定３を使用する。このとき、ＣＣ＃２とＣＣ＃３は、互いに干渉を与えないほど周波数帯域が離隔されたＣＣである。前記例において、端末は、各グループ別に独立的なＲＦモジュールを有することができ、別途の電力増幅器を使用することができる。端末は、各グループ別に一つのＰＵＣＣＨを送信することができ、この場合、アップリンクに複数のＰＵＣＣＨが送信されても、ＰＡＰＲ（ｐｅａｋ  ｔｏ  ａｖｅｒａｇｅ  ｒａｔｉｏ）が増加する問題は発生しない。
【０１９６】
ＰＵＣＣＨがＰＣＣのみで送信される場合、方法１を適用し、ＰＣＣが属しない（隣接しない周波数帯域の）グループの特定ＵＬ  ＣＣでＰＵＣＣＨが送信される場合、該当ＰＵＣＣＨに送信されるＡＣＫ／ＮＡＣＫタイミングは、ＰＵＣＣＨが送信される前記特定ＵＬ  ＣＣのＤＬサブフレームに対応されるＡＣＫ／ＮＡＣＫタイミングに従うようにすることができる。
【０１９７】
＜互いに異なるフレーム構造を使用するＣＣがアグリゲーションされるシステムにおけるＨＡＲＱ  ＡＣＫ／ＮＡＣＫ送信技法＞
【０１９８】
以上では互いに異なるフレーム構造を使用するＣＣがアグリゲーションされるシステムでＨＡＲＱ  ＡＣＫ／ＮＡＣＫ送信タイミングを説明したし、以下では互いに異なるフレーム構造を使用するＣＣがアグリゲーションされるシステムでＨＡＲＱ  ＡＣＫ／ＮＡＣＫ送信技法に対して説明する。
【０１９９】
プライマリセルは単独に設定された時のＡＣＫ／ＮＡＣＫ送信タイミングを適用し、セカンダリセルのＡＣＫ／ＮＡＣＫ送信タイミングは前記方法１を適用する組合せが使われる場合、ＰＣＣ／ＳＣＣで受信したＤＬデータチャネルまたはＤＬ制御チャネルに対するＡＣＫ／ＮＡＣＫは、ＦＤＤセル間のアグリゲーションで使われるチャネル選択を利用するＰＵＣＣＨフォーマット１ｂを使用して送信されることができる。
【０２００】
ＦＤＤセル間のアグリゲーションでは、一つのＵＬサブフレームに一つのＤＬサブフレームのみが対応される。また、ＡＣＫ／ＮＡＣＫと他のＵＣＩが同時に発生した場合、多重化方法、特定ＵＣＩをドロップする規則も、ＦＤＤで使用する多重化方法、ドロップ規則を同じく適用することができる。一つのＵＬサブフレームが一つのＤＬサブフレームに連結される場合に最適化されたＦＤＤでの多重化方法／ＵＣＩドロップ規則を適用する。例えば、プライマリセルで２コードワードをスケジューリングする場合、ＡＣＫ／ＮＡＣＫ送信のためにチャネル選択を利用するＰＵＣＣＨフォーマット１ｂを使用し、この時のＰＵＣＣＨリソース及びコンステレーション点は、ＰＵＣＣＨフォーマット１ｂと同じである。したがって、セカンダリセルの設定可否が曖昧な区間またはセカンダリセルの設定エラー状況でも、プライマリセルでの２コードワード送信に対するＡＣＫ／ＮＡＣＫをエラーなく送信することができる。
【０２０１】
即ち、互いに異なるフレーム構造を使用するセル間のアグリゲーションで、全てのセルにＦＤＤセルで定義されたＡＣＫ／ＮＡＣＫ送信タイミングを適用する場合（または、全てのセルがＭｃｅｌｌ＝１で構成される場合、例えば、ＦＤＤプライマリセルとＴＤＤセカンダリセルがＭｓｃｅｌｌ＝１の場合、またはＴＤＤプライマリセル（Ｍｐｃｅｌｌ＝１）とＦＤＤセカンダリセルの場合）一つのＵＬサブフレームでは、各セルの一つのＤＬサブフレームに対するＡＣＫ／ＮＡＣＫのみを送信するようになり、このとき、ＰＵＣＣＨを送信するセルには、ＤＬサブフレーム：ＵＬサブフレームの対応が１：１の場合に最適化されたＦＤＤセル間のアグリゲーションで定義されたＤＬ  ＡＣＫ／ＮＡＣＫ送信技法を使用する。
【０２０２】
一方、プライマリセル（ＦＤＤセル）は単独に使われる時のＡＣＫ／ＮＡＣＫ送信タイミングをそのまま適用し、セカンダリセル（ＴＤＤセル）に対して方法２を適用する組合せが使われる場合、プライマリセルのＵＬ  ＰＣＣとセカンダリセルのＳＣＣに対するＡＣＫ／ＮＡＣＫ送信は、ＴＤＤセル（セカンダリセル）で定義されたＡＣＫ／ＮＡＣＫ送信技法に従うことができる。
【０２０３】
即ち、プライマリセルのＵＬ  ＰＣＣとセカンダリセルのＳＣＣに対するＡＣＫ／ＮＡＣＫ送信技法は、ＴＤＤセル間のアグリゲーションに定義された‘チャネル選択を利用するＰＵＣＣＨフォーマット１ｂ’を使用することができる。ＴＤＤセル間のアグリゲーションと同様に、一つのＰＣＣ  ＵＬサブフレームは、ＰＣＣ及びＳＣＣの複数のＤＬサブフレームと対応されるためである。
【０２０４】
ＡＣＫ／ＮＡＣＫと他のＵＣＩ（ＣＱＩ、ＳＲ等）が同時に発生した場合、多重化方法、特定ＵＣＩのドロップ規則なども、ＴＤＤセル間のアグリゲーションで規定する多重化方法／ドロップ規則に従うことができる。
【０２０５】
例えば、ＦＤＤセルではＭＦＤＤｃｅｌｌ＝１に対応させ、ＴＤＤセルではＭＴＤＤｃｅｌｌを適用することで、ＭＦＤＤｃｅｌｌ、ＭＴＤＤｃｅｌｌ組合せに対する互いに異なるＵＬ−ＤＬ設定を使用するＴＤＤセル間のアグリゲーションで使用するＡＣＫ／ＮＡＣＫ送信方法を使用する。
【０２０６】
Ｍｃｅｌｌは、一つのＵＬサブフレームに対応されるＤＬサブフレームの個数を意味し、対応されるＤＬサブフレームは、ＡＣＫ／ＮＡＣＫ応答を必要とするＤＬデータチャネル（ＰＤＳＣＨまたはＤＬ  ＨＡＲＱ）またはＤＬ制御チャネル（ＤＬ  ＳＰＳ解除ＰＤＣＣＨ）の受信が可能な有効ＤＬサブフレームのみで構成されることができる。
【０２０７】
互いに異なるフレーム構造を使用するセル間のアグリゲーションで、ＰＵＣＣＨ送信セルに対応されるＤＬセルまたはＤＬサブフレームのＤＬ  ＡＣＫ／ＮＡＣＫタイミングが一つでもＴＤＤセルのために定義されたＡＣＫ／ＮＡＣＫタイミングに従う場合（または、Ｍ＞１の場合）、ＴＤＤセル間のアグリゲーションで定義されたＤＬ  ＡＣＫ／ＮＡＣＫ送信技法に従う。
【０２０８】
例えば、プライマリセルがＴＤＤセルであり、セカンダリセルがＦＤＤセルである場合、セカンダリセルのＡＣＫ／ＮＡＣＫタイミングがプライマリセルのＡＣＫ／ＮＡＣＫタイミングに従うことができる。この場合、ＴＤＤセル間のアグリゲーションで定義されたＤＬ  ＡＣＫ／ＮＡＣＫ送信技法を使用する。
【０２０９】
ただ、既存のＴＤＤ  ＵＬ−ＤＬ設定に定義されたタイミングに基づいて既存にないＡＣＫ／ＮＡＣＫタイミングが追加される場合、ＴＤＤセル間のアグリゲーションで定義されたＤＬ  ＡＣＫ／ＮＡＣＫ送信技法に基づいて追加的なＡＣＫ／ＮＡＣＫタイミングに対する送信技法が導入されることができる。例えば、既存はＭ≦４の場合にのみチャネル選択技法が定義されたが、Ｍ＞４の場合のチャネル選択技法が導入されることができる。
【０２１０】
前記において、ＡＣＫ／ＮＡＣＫ送信技法の選択は、ＵＬサブフレーム別に決定されることもできる。ＵＬサブフレーム別に決定される場合、ＰＵＣＣＨ送信セルで特定ＵＬサブフレームに連結されるＤＬサブフレームが１：１に構成されると、ＦＤＤ方式に従い、他のＵＬサブフレームは、Ｍ：１（Ｍ＞１）である場合（即ち、複数のＤＬサブフレームが前記他のＵＬサブフレームに連結される場合）が含まれると、ＴＤＤ方式を適用することができる。
【０２１１】
または、セル別にＡＣＫ／ＮＡＣＫ送信技法が決定されることもできる。例えば、プライマリセルはＦＤＤセルであり、第１及び第２のセカンダリセルはＴＤＤセルである。この場合、プライマリセルで、第１及び第２のセカンダリセルで受信したデータに対するＡＣＫ／ＡＮＣＫが送信されることができる。第１のセカンダリセルで受信したデータに対するＡＣＫ／ＮＡＣＫは、ＦＤＤ方式のＡＣＫ／ＮＡＣＫ送信技法に従い、第２のセカンダリセルで受信したデータに対するＡＣＫ／ＮＡＣＫは、ＴＤＤ方式のＡＣＫ／ＮＡＣＫ送信技法に従うことができる。
【０２１２】
ＴＤＤ  ＡＣＫ／ＮＡＣＫ送信方法としてＴＤＤセル間のアグリゲーションで使われるチャネル選択技法が使われると、プライマリセルで２コードワードが送信される場合、チャネル選択を利用するＰＵＣＣＨフォーマット１ｂでのＰＵＣＣＨリソース及びコンステレーション点がＰＵＣＣＨフォーマット１ｂと異なるという短所がある。例えば、チャネル選択を利用するＰＵＣＣＨフォーマット１ｂで［ＡＣＫ，ＡＣＫ，ＮＡＣＫ／ＤＴＸ，ＮＡＣＫ／ＤＴＸ］、［ＮＡＣＫ／ＤＴＸ，ＡＣＫ，ＮＡＣＫ／ＤＴＸ，ＮＡＣＫ／ＤＴＸ］に対するＰＵＣＣＨリソースは、ｎ（１）ＰＵＣＣＨ，１が選択される。それに対し、ＰＵＣＣＨフォーマット１ｂで［ＡＣＫ，ＡＣＫ］、［ＮＡＣＫ／ＤＴＸ，ＡＣＫ］に対するＰＵＣＣＨリソースは、ｎ（１）ＰＵＣＣＨ，０が選択される。
【０２１３】
一方、互いに異なるフレーム構造を使用するＣＣがアグリゲーションされるシステムにおいて、ＨＡＲＱ  ＡＣＫ／ＮＡＣＫ送信技法は、サブフレーム別に異なる。即ち、ＡＣＫ／ＮＡＣＫを送信するアップリンクサブフレームで、第１のセルで受信したデータに対するＡＣＫ／ＮＡＣＫのみが送信されるか、または第１のセル及び第２のセルの両方で受信したデータに対するＡＣＫ／ＮＡＣＫが送信されるかによって、ＡＣＫ／ＮＡＣＫ送信技法が異なる。
【０２１４】
図１３のようにＦＤＤセルとＴＤＤセルがアグリゲーションされる場合、方法１を使用すると、ＦＤＤセルのサブフレーム０、２、３、４、５、７、８、９では、ＦＤＤセルのＡＣＫ／ＮＡＣＫとＴＤＤセルのＡＣＫ／ＮＡＣＫが共に送信される。それに対し、ＦＤＤセルのサブフレーム１及び６では、ＦＤＤセルのＡＣＫ／ＮＡＣＫのみが送信される。したがって、ＦＤＤセルの全てのＵＬサブフレームにチャネル選択を適用するものではなく、ＦＤＤセルのＡＣＫ／ＮＡＣＫとＴＤＤセルのＡＣＫ／ＮＡＣＫが共に送信されることができるサブフレームにのみチャネル選択を適用することができる。
【０２１５】
また、ＦＤＤセルのＡＣＫ／ＮＡＣＫのみが送信されることができるＦＤＤセルのＵＬサブフレームには、ＰＵＣＣＨフォーマット１ａ／１ｂを使用する。ここで‘ＰＵＣＣＨ  ｆｏｒｍａｔ（１ａ／）１ｂの使用’は、ＦＤＤセルが単独に設定／使われる場合のＡＣＫ／ＮＡＣＫ送信技法を意味する。また、ＡＣＫ／ＮＡＣＫと他のＵＣＩ（ＣＳＩ、ＳＲ等）が同時に発生した場合、多重化方法、特定ＵＣＩのドロップ規則なども、ＦＤＤセルが単独に設定／使われる場合での多重化方法／ドロップ規則に従うことができる。ＰＵＣＣＨフォーマット１ａ／１ｂは、ＰＵＣＣＨ送信に送信ダイバーシティが設定された場合にのみ適用することもできる。
【０２１６】
もし、ＦＤＤセルのＡＣＫ／ＮＡＣＫのみが送信されるＦＤＤセルのＵＬサブフレームにもチャネル選択を適用すると、ＰＵＣＣＨ送信ダイバーシティが使われる場合、明示的に指定した明示的リソースを２番目のＰＵＣＣＨリソースとして使用しなければならないという短所がある。
【０２１７】
図１５のように２個のセルがアグリゲーションされた状況で方法２を使用する場合、ＦＤＤセルのサブフレーム２及び７では、ＦＤＤセルに対するＡＣＫ／ＮＡＣＫ及びＴＤＤセルに対するＡＣＫ／ＮＡＣＫが共に送信され、ＦＤＤセルの残りのサブフレーム０、１、３、４、５、６、８、９では、ＦＤＤセルに対するＡＣＫ／ＮＡＣＫのみが送信される。したがって、ＦＤＤセルの全てのＵＬサブフレームでＴＤＤセルのアグリゲーションに使われるチャネル選択方式を使用することは、プライマリセルのＡＣＫ／ＮＡＣＫもバンドリングされるという短所が存在する（特に、ＴＤＤセルでＭ＞１の場合）。
【０２１８】
したがって、ＴＤＤセルのＡＣＫ／ＮＡＣＫが送信されないＵＬサブフレームでは、ＰＵＣＣＨフォーマット１ａ／１ｂを使用し、ＴＤＤセルのＡＣＫ／ＮＡＣＫが送信されるＵＬサブフレームでのみ、ＴＤＤセル間のアグリゲーションで定義されたチャネル選択を利用するＰＵＣＣＨフォーマット１ｂを使用することができる。
【０２１９】
ＦＤＤで複数のＣＣに対するＡＣＫ／ＮＡＣＫ送信のためにチャネル選択を利用するＰＵＣＣＨフォーマット１ａ／１ｂの設定を受けた場合、ＵＬサブフレームがＳＲ送信のために予約されたサブフレームであり、ＡＣＫ／ＮＡＣＫ送信が必要な場合、正（ｐｏｓｉｔｉｖｅ）のＳＲである場合、前記ＵＬサブフレームで正のＳＲ用にＲＲＣを介して割り当てられたＰＵＣＣＨフォーマット１ｂに各ＤＬ  ＣＣ別に空間バンドリングを適用した２ビットＡＣＫ／ＮＡＣＫをマッピングして送信する。負（ｎｅｇａｔｉｖｅ）のＳＲである場合、ＡＣＫ／ＮＡＣＫのみが発生した場合と同じ送信方法を使用する。ＴＤＤセルに対するＡＣＫ／ＮＡＣＫが送信されないＵＬサブフレームでも前述したチャネル選択を使用する場合、プライマリセルのＡＣＫ／ＮＡＣＫが不要に空間バンドリングされて送信される。それに対し、ＰＵＣＣＨフォーマット１ａ／１ｂを使用する場合、プライマリセルのＡＣＫ／ＮＡＣＫは、空間バンドリング無くＳＲ用リソースを介して送信される。
【０２２０】
または、ＦＤＤセルでＭＩＭＯが設定された場合に限ってＰＵＣＣＨフォーマット１ｂを使用することもできる。
【０２２１】
一方、互いに異なるフレーム構造を利用するセル間のアグリゲーションで、ＡＣＫ／ＮＡＣＫを送信するＵＬサブフレームに連結される総ＤＬサブフレームの個数がＭ個である。即ち、プライマリセルのＵＬサブフレームに連結されるプライマリセルのＤＬサブフレーム及びセカンダリセルのＤＬサブフレームの総個数がＭである。このとき、Ｍ＞４の場合が発生できる。例えば、プライマリセルがＦＤＤセルであり、セカンダリセルがＴＤＤセルであり、ＵＬ−ＤＬ設定２、４または５の場合、プライマリセルのＵＬサブフレームに４より多いＤＬサブフレームが連結されることができる。このとき、プライマリセルの全体ＵＬサブフレームにチャネル選択は使用せずに、ＰＵＣＣＨフォーマット３のみを使用するようにすることができる。即ち、チャネル選択設定を制限することができる。
【０２２２】
一方、互いに異なるフレーム構造を利用するセル間のアグリゲーションで、ＡＣＫ／ＮＡＣＫ送信技法としてチャネル選択が設定された場合、ＡＣＫ／ＮＡＣＫを送信するＵＬサブフレームに連結される総ＤＬサブフレームの個数がＭ個である。このとき、Ｍ＞４の場合が発生できる。チャネル選択は、Ｍが最大４の場合に対してのみ定義され、Ｍ＞４の場合が発生すると、従来技術では処理が不可である。これに対する解決策が要求される。
【０２２３】
図１７は、本発明の一実施例に係るＡＣＫ／ＮＡＣＫ送信方法を示す。
【０２２４】
図１７を参照すると、基地局は、ＵＬサブフレームに連結されるＤＬサブフレームの個数Ｍが４より大きいかどうかを決定する（Ｓ１７１）。
【０２２５】
基地局は、前記Ｍが４より大きい場合、ＵＬサブフレームに最大４個のＤＬサブフレームのみが連結されるようにスケジューリングを実行する（Ｓ１７２）。例えば、プライマリセルがＴＤＤセルであり、ＵＬ−ＤＬ設定２、４または５であり、セカンダリセルがＦＤＤセルである場合、プライマリセルのＵＬサブフレームに総４より多いＤＬサブフレームが連結されることができる。この場合、基地局は、前記Ｍ個のサブフレームのうち４個以下のサブフレームに対してのみＡＣＫ／ＮＡＣＫを要求するチャネルをスケジューリングする。
【０２２６】
基地局は、前記ＵＬサブフレームでチャネル選択によるＡＣＫ／ＮＡＣＫを受信する（Ｓ１７３）。端末立場では、前記ＵＬサブフレームでチャネル選択によりＡＣＫ／ＮＡＣＫを送信する。
【０２２７】
一方、プライマリセルがＴＤＤセルであり、セカンダリセルがＦＤＤセルである場合も発生できる。プライマリセルのＵＬサブフレームに連結されるプライマリセルのＤＬサブフレームの個数をＭＰ、前記プライマリセルのＵＬサブフレームに連結されるセカンダリセルのＤＬサブフレームの個数をＭＳと仮定すると、ＭＰ＜ＭＳである場合が発生できる。ＦＤＤセルではＤＬサブフレームが連続的に存在し、それに対し、ＴＤＤセルではＤＬサブフレームが不連続的に存在し、ＵＬサブフレームの個数が制限されるため、このような場合が発生できる。例えば、（ＭＰ，ＭＳ）＝（４，５）または（２，３）である場合が発生できる。このような場合、基地局は、ＭＳ個のＤＬサブフレームの全てをスケジューリングせずに、ＭＰ個のＤＬサブフレームのみをスケジューリングして一つのＵＬサブフレームに連結される総ＤＬサブフレームの個数を制限することができる。これに基づいて選択されるチャネルの数がＭＰであるチャネル選択技法を選択することができる。一つのＵＬサブフレームに連結される総ＤＬサブフレームの個数が増加すると、空間バンドリング（ｓｐａｔｉａｌ  ｂｕｎｄｌｉｎｇ）、時間領域バンドリング（ｔｉｍｅ  ｄｏｍａｉｎ  ｂｕｎｄｌｉｎｇ）などが適用されてＮＡＣＫ送信確率が増加するためである。空間バンドリングとは、一つのサブフレーム内で受信した複数のコードワード（トランスポートブロック）に対するＡＣＫ／ＮＡＣＫをＡＮＤ演算により一つのＡＣＫ／ＮＡＣＫに圧縮する技法である。時間領域バンドリングは、複数のサブフレームの各々で決定されたＡＣＫ／ＮＡＣＫをＡＮＤ演算により一つのＡＣＫ／ＮＡＣＫに圧縮する技法である。
【０２２８】
または、端末は、４個が超えるサブフレームがＡＣＫ／ＮＡＣＫを要求する状況は、エラー状況と見なし、ＰＵＣＣＨを送信しない。または、４個のサブフレームに対してのみＡＣＫ／ＮＡＣＫを送信し、残りのサブフレームに対してはＡＣＫ／ＮＡＣＫを送信しない。ただ、ＳＰＳ  ＰＤＳＣＨのように対応するＰＤＣＣＨが存在しないＰＤＳＣＨに対するＡＣＫ／ＮＡＣＫが含まれる場合、ドロップせずに常に含むことができる。
【０２２９】
互いに異なるフレーム構造を使用するセル間のアグリゲーションで、同じ時区間でＵＬ送信とＤＬ受信を共に実行すると、ＵＬ送信がＤＬ受信に干渉を及ぼす可能性がある。したがって、互いに干渉を与えないほど離れた周波数帯域別にグループ化し、一つのグループ内では同じＵＬ−ＤＬ設定を使用し、他のグループ同士は互いに異なるＵＬ−ＤＬ設定を使用するようにすることが好ましい。
【０２３０】
この場合、各グループは、独立的なＲＦモジュールを有するようになって別途の電力増幅器を使用することができる。その場合、各グループ別に一つずつのＰＵＣＣＨが送信されることができ、アップリンクに複数のＰＵＣＣＨが同時に送信されてもＰＡＰＲが増加するという問題は発生しない。
【０２３１】
ＰＵＣＣＨがＰＣＣでのみ送信されずに、ＰＣＣが属しない（隣接しない周波数帯域の）グループの特定ＵＬ  ＣＣでＰＵＣＣＨが送信される場合、該当ＰＵＣＣＨに送信されるＡＣＫ／ＮＡＣＫタイミングは、ＰＵＣＣＨが送信される前記特定ＵＬ  ＣＣのＤＬサブフレームに対応されるＡＣＫ／ＮＡＣＫタイミングに従うようにすることができる。
【０２３２】
プライマリセルがＦＤＤセルであり、複数のＴＤＤセルがセカンダリセルとしてアグリゲーションされる場合、各ＴＤＤセルのＡＣＫ／ＮＡＣＫ送信が同じＵＬサブフレームで重ならないように、ＴＤＤセルのフレーム境界（ｆｒａｍｅ  ｂｏｕｎｄａｒｙ）を一定オフセット値ほど移動させることができる。即ち、各ＴＤＤセル間のＵＬサブフレームが重ならないようにオフセット値を設定することができる。オフセット値は、ＰＳＳ／ＳＳＳ（ｐｒｉｍａｒｙ  ｓｙｎｃｈｒｏｎｉｚａｔｉｏｎ  ｓｉｇｎａｌ／ｓｅｃｏｎｄａｒｙ  ｓｙｎｃｈｒｏｎｉｚａｔｉｏｎ  ｓｉｇｎａｌ）の検出により認識し、またはＲＲＣメッセージのような上位階層信号を介して知らせることができる。このようにオフセット値が与えられる場合、３以上のセルがアグリゲーションされた場合でもチャネル選択を適用することができる。
【０２３３】
プライマリセルがＦＤＤセルであり、セカンダリセルがＴＤＤセルである状況は、例示に過ぎず、これに制限されるものではない。即ち、プライマリセルがＴＤＤセルであり、セカンダリセルがＦＤＤセルである場合にも、本発明は適用されることができる。
【０２３４】
＜互いに異なるフレーム構造を使用するセル間のアグリゲーションに使われる交差搬送波スケジューリング＞
【０２３５】
互いに異なるフレーム構造を使用するセル間のアグリゲーションでは、交差搬送波スケジューリングによって一部リソースの活用が不可能である。特に、ＵＬ  ＨＡＲＱの場合、ＡＣＫ／ＮＡＣＫ送信をスケジューリングするＤＬサブフレームが必要であるため、制約が発生できる。ＤＬ  ＨＡＲＱとＵＬ  ＨＡＲＱの交差搬送波スケジューリングを独立的に設定することが有用である。
【０２３６】
例えば、ＵＬ  ＨＡＲＱの場合、交差搬送波スケジューリングを許容せずに、非交差搬送波スケジューリングのみ動作するように制限できる。交差搬送波スケジューリング設定時、ＤＬ  ＨＡＲＱのみが交差搬送波スケジューリングにより動作するように制限できる。
【０２３７】
このような動作は、プライマリセルがＦＤＤセルであるかまたはＴＤＤセルであるかによって、異なるように適用されることができる。特に、プライマリセルがＴＤＤセルである場合に有用である。例えば、プライマリセルがＦＤＤセルである場合は、ＵＬ  ＨＡＲＱ／ＤＬ  ＨＡＲＱの両方ともで交差搬送波スケジューリングを許容し、プライマリセルがＴＤＤセルである場合は、ＤＬ  ＨＡＲＱでのみ交差搬送波スケジューリングを許容することができる。
【０２３８】
このようにダウンリンクとアップリンクで交差搬送波スケジューリング適用可否が変わると、ＰＤＣＣＨを検出するための検索空間が位置したセルがダウンリンク／アップリンク別に異なる。したがって、ＰＤＣＣＨのブラインドデコーディング（ｂｌｉｎｄ  ｄｅｃｏｄｉｎｇ）回数が増加できる。
【０２３９】
これを防止するために、ダウンリンク／アップリンクで共通的な大きさのＤＣＩフォーマットは、一つのセルでのみ検出するように制限できる。端末特定検索空間で送信されるＤＣＩフォーマットに限定できる。例えば、アップリンクスケジューリングのためのＤＣＩフォーマット０は、非交差搬送波スケジューリングのためにＰＵＳＣＨ送信セルでのみ送信され、ダウンリンクスケジューリングのためのＤＣＩフォーマット１Ａは、ＰＤＳＣＨ送信セルの交差搬送波スケジューリングセルのＣＳＳでのみ送信され、ダウンリンクスケジューリングのための送信モード特定ＤＣＩフォーマット（ＤＣＩフォーマット０及び１Ａ）は、ＰＤＳＣＨ送信セルのＣＣＳセルのＵＳＳで送信される。
【０２４０】
ダウンリンク／アップリンクで共通的な大きさを有するＤＣＩフォーマットは、検索空間候補数を２セルに適切に分けることができる。
【０２４１】
図１８は、本発明の実施例が具現される無線機器を示すブロック図である。
【０２４２】
基地局１００は、プロセッサ（ｐｒｏｃｅｓｓｏｒ）１１０、メモリ（ｍｅｍｏｒｙ）１２０及びＲＦ部（ＲＦ（ｒａｄｉｏ  ｆｒｅｑｕｅｎｃｙ）  ｕｎｉｔ）１３０を含む。プロセッサ１１０は、提案された機能、過程及び／または方法を具現する。例えば、プロセッサ１１０は、端末に互いに異なるフレーム構造を使用する複数のサービングセルを設定し、各サービングセルを介してＡＣＫ／ＮＡＣＫ応答を必要とするデータを送信する。このとき、ＡＣＫ／ＮＡＣＫが送信されるアップリンクサブフレームに連結されるＭ個のダウンリンクサブフレームのうち４個以下のダウンリンクサブフレームのみ実際にスケジューリングを実行することができる。メモリ１２０は、プロセッサ１１０と連結され、プロセッサ１１０を駆動するための多様な情報を格納する。ＲＦ部１３０は、プロセッサ１１０と連結され、無線信号を送信及び／または受信する。
【０２４３】
端末２００は、プロセッサ２１０、メモリ２２０及びＲＦ部２３０を含む。プロセッサ２１０は、提案された機能、過程及び／または方法を具現する。例えば、プロセッサ２１０は、互いに異なるフレーム構造を使用する第１のサービングセル及び第２のサービングセルの設定を受け、第２のサービングセルのダウンリンクサブフレームでデータを受信し、前記データに対するＡＣＫ／ＮＡＣＫ信号を第１のサービングセルのアップリンクサブフレームで送信することができる。このとき、前記アップリンクサブフレームは、前記第１のサービングセルのＡＣＫ／ＮＡＣＫタイミングまたは第２のサービングセルのＡＣＫ／ＮＡＣＫタイミングに基づいて決定されることができる。ＡＣＫ／ＮＡＣＫの送信技法は、ＦＤＤセル間のアグリゲーションで定義された技法またはＴＤＤセル間のアグリゲーションで定義された技法を使用することができ、ＡＣＫ／ＮＡＣＫを送信するアップリンクサブフレームで、第１のサービングセルで受信したデータに対するＡＣＫ／ＮＡＣＫのみが送信されるか、または第１のサービングセル及び第２のサービングセルで受信したデータに対するＡＣＫ／ＮＡＣＫが送信されるかによって、送信技法を変わることができる。メモリ２２０は、プロセッサ２１０と連結され、プロセッサ２１０を駆動するための多様な情報を格納する。ＲＦ部２３０は、プロセッサ２１０と連結され、無線信号を送信及び／または受信する。
【０２４４】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１３０、２３０は、無線信号を送信及び／または受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段によりプロセッサ１１０、２１０と連結されることができる。
【図１】
0006029769.tif 000016
【図２】
0006029769.tif 000017
【図３】
0006029769.tif 000018
【図４】
0006029769.tif 000019
【図５】
0006029769.tif 000020
【図６】
0006029769.tif 000021
【図７】
0006029769.tif 000022
【図８】
0006029769.tif 000023
【図９】
0006029769.tif 000024
【図１０】
0006029769.tif 000025
【図１１】
0006029769.tif 000026
【図１２】
0006029769.tif 000027
【図１３】
0006029769.tif 000028
【図１４】
0006029769.tif 000029
【図１５】
0006029769.tif 000030
【図１６】
0006029769.tif 000031
【図１７】
0006029769.tif 000032
【図１８】
0006029769.tif 000033